(57)【要約】【課題】使用商用電力に係る指令に迅速に対応できる空調システムを提供する。【解決手段】空調システム（1）は、システム全体の使用商用電力を抑制する抑制指令に応じて、蓄熱用熱交換器（21）を熱源としながら利用側熱交換器（41）で空調を行う第１運転を実行する。空調システム（1）は、第１運転の開始のタイミングに同期して、システム全体の使用商用電力を第１値以下に制御する第１制御を行う電力抑制部（5,11,100）を備えている。【選択図】図１３
2020051730.tif 000002
【特許請求の範囲】
【請求項１】
圧縮機（11）と、室内の空調を行う利用側熱交換器（41）と、蓄熱用熱交換器（21）とが接続され、冷凍サイクルを行う冷媒回路（50）を備え、
システム全体の使用商用電力を抑制する抑制指令に応じて、前記蓄熱用熱交換器（21）を熱源としながら前記利用側熱交換器（41）で空調を行う第１運転を実行する空調システムであって、
前記第１運転の開始のタイミングに同期して、前記システム全体の使用商用電力を第１値以下に制御する第１制御を行う電力抑制部（5,11,100）を備えていることを特徴とする空調システム。
【請求項２】
請求項１において、
前記電力抑制部は、
前記圧縮機（11）と、
前記第１制御において、システム全体の使用商用電力が前記第１値以下となるように前記圧縮機（11）を制御する制御装置（5）とを備えることを特徴とする空調システム。
【請求項３】
請求項２において、
前記制御装置（5）は、前記第１制御において、前記使用商用電力を前記第１値以下としながら前記利用側熱交換器（41）の空調能力を要求能力に近づけるように前記圧縮機（11）を制御することを特徴とする空調システム。
【請求項４】
請求項２又は３において、
前記制御装置（5）は、前記第１運転の開始時に、前記使用商用電力が第２値を上回る場合に前記第１制御を行う一方、該使用商用電力が該第２値以下である場合に、前記使用商用電力によらず前記利用側熱交換器（41）の空調能力を要求能力に近づけるように圧縮機（11）を制御する第２制御を行うことを特徴とする空調システム。
【請求項５】
請求項３又は４において、
前記制御装置（5）は、前記第１制御の開始時に前記圧縮機（11）を停止させることを特徴とする空調システム。
【請求項６】
請求項２乃至５のいずれか１つにおいて、
前記制御装置（5）は、前記第１制御において、前記利用側熱交換器（41）の空調能力が要求能力に至ると、前記使用商用電力によらず前記利用側熱交換器（41）の空調能力を要求能力に近づけるように圧縮機（11）を制御する第２制御を行うことを特徴とする空調システム。
【請求項７】
請求項１において、
前記冷媒回路（50）を含む空調ユニット（1A）を備え、
前記電力抑制部は、
蓄えた電力を前記空調ユニット（1A）に供給する蓄電装置（100）と、
前記第１制御において、システム全体の使用商用電力が前記第１値以下となるように前記蓄電装置（100）の供給電力を制御する制御装置（5）とを備えていることを特徴とする空調システム。
【請求項８】
請求項７において、
前記制御装置（5）は、前記第１制御において、前記使用商用電力によらず前記利用側熱交換器（41）の空調能力を要求能力に近づけるように前記圧縮機（11）を制御することを特徴とする空調システム。
【請求項９】
請求項８において、
前記制御装置（5）は、前記第１制御において、前記蓄電装置（100）から前記空調ユニット（1A）に供給される電力がゼロで且つ前記利用側熱交換器（41）の空調能力が要求能力であると、前記蓄電装置（100）を停止させ前記空調ユニット（1A）の運転を継続させることを特徴とする空調システム。
【請求項１０】
圧縮機（11）と、室内の空調を行う利用側熱交換器（41）と、蓄熱用熱交換器（21）とが接続され、冷凍サイクルを行う冷媒回路（50）を備え、
システム全体の使用商用電力を促進する促進指令に応じて、前記蓄熱用熱交換器（21）で蓄熱を行いながら前記利用側熱交換器（41）で空調を行う第２運転を実行する空調システムであって、
前記第２運転の開始のタイミングに同期して、前記システム全体の使用商用電力を第３値以上に制御する第３制御を行う電力促進部（5,11,100）を備えていることを特徴とする空調システム。
【請求項１１】
請求項１０において、
前記電力促進部は、
前記圧縮機（11）と、
前記第３制御において、システム全体の使用商用電力が前記第３値以上となるように前記圧縮機（11）を制御する制御装置（5）とを備えることを特徴とする空調システム。
【請求項１２】
請求項１１において、
前記制御装置（5）は、前記第３制御において、前記使用商用電力を前記第３値以上としながら前記利用側熱交換器（41）の空調能力を要求能力に近づけるように前記圧縮機（11）を制御することを特徴とする空調システム。
【請求項１３】
請求項１１又は１２において、
前記制御装置（5）は、前記第２運転の開始時に、前記使用商用電力が第４値を下回る場合に前記第３制御を行う一方、該使用商用電力が該第４値以上である場合に、前記使用商用電力によらず前記利用側熱交換器（41）の空調能力を要求能力に近づけるように圧縮機（11）を制御する第４制御を行うことを特徴とする空調システム。
【請求項１４】
請求項１１乃至１３のいずれか１つにおいて、
前記制御装置（5）は、前記第３制御において、前記利用側熱交換器（41）の空調能力が要求能力に至ると、前記使用商用電力によらず前記利用側熱交換器（41）の空調能力を要求能力に近づけるように圧縮機（11）を制御する第４制御を行うことを特徴とする空調システム。
【請求項１５】
請求項１０において、
前記冷媒回路（50）を含む空調ユニット（1A）を備え、
前記電力促進部は、
蓄えた電力を前記空調ユニット（1A）に供給する蓄電装置（100）と、
前記第３制御において、システム全体の使用商用電力が前記第３値以上となるように前記蓄電装置（100）に蓄える商用電力を制御する制御装置（5）とを備えていることを特徴とする空調システム。
【請求項１６】
請求項１５において、
前記制御装置（5）は、前記第３制御において、前記使用商用電力によらず前記利用側熱交換器（41）の空調能力を要求能力に近づけるように前記圧縮機（11）を制御することを特徴とする空調システム。
【請求項１７】
請求項１６において、
前記制御装置（5）は、前記第３制御において、前記蓄電装置（100）に供給される商用電力がゼロで且つ前記利用側熱交換器（41）の空調能力が要求能力であると、前記蓄電装置（100）を停止させ前記空調ユニット（1A）の運転を継続させることを特徴とする空調システム。
【発明の詳細な説明】
【技術分野】
【０００１】
本開示は、空調システムに関する。
【背景技術】
【０００２】
特許文献１の空気調和装置は、圧縮機、室外熱交換器、室内熱交換器、伝熱管（蓄熱熱交換器）等が接続された冷媒回路を備える。伝熱管は、蓄熱槽の内部に設けられる。冷房蓄熱運転では、室内熱交換器及び伝熱管が蒸発器となり、蓄熱槽内で氷が生成される。ピークカット運転では、室内熱交換器が蒸発器となり、伝熱管が凝縮器（放熱器）となる。つまり、伝熱管で氷へ放熱した後の冷媒が、室内熱交換器の冷房に利用される。
【先行技術文献】
【特許文献】
【０００３】
【特許文献１】特開２００５−２８２９９３号公報
【発明の概要】
【発明が解決しようとする課題】
【０００４】
空調システムでは、システム全体の使用商用電力を抑制する抑制指令に応じて、蓄えた冷熱や温熱を利用しながら冷房や暖房を行う運転に切り換える実行することが考えられる。これにより、システム全体の使用商用電力を抑えつつ冷房や暖房を行うことができる。しかしながら、ある運転から使用商用電力を抑制する運転に切り換える際には、冷凍サイクルが定常状態に至るまでの間に時間がかかるため、使用商用電力を迅速に抑えることができないことがあった。この結果、抑制指令があった直後において、使用商用電力が所定の上限値を越えてしまう可能性があった。
【０００５】
同様に、空調システムでは、システム全体の使用商用電力を促進する促進指令に応じて、冷熱や温熱を蓄えながら冷房や暖房を行う運転を実行することが考えられる。これにより、システム全体の使用商用電力を促進しつつ冷房や暖房を行うことができる。しかしながら、ある運転から使用商用電力を促進する運転に切り換える際には、冷凍サイクルが定常状態に至るまでの間に時間がかかるため、使用商用電力を迅速に促進することができないことがあった。この結果、促進指令があった直後において、使用商用電力が所定の下限値を下回ってしまう可能性があった。
【０００６】
本開示の目的は、使用商用電力に係る指令に迅速に対応できる空調システムを提供することである。
【課題を解決するための手段】
【０００７】
第１の態様は、圧縮機（11）と、室内の空調を行う利用側熱交換器（41）と、蓄熱用熱交換器（21）とが接続され、冷凍サイクルを行う冷媒回路（50）を備え、システム全体の使用商用電力を抑制する抑制指令に応じて、前記蓄熱用熱交換器（21）を熱源としながら前記利用側熱交換器（41）で空調を行う第１運転を実行する空調システムであって、前記第１運転の開始のタイミングに同期して、前記システム全体の使用商用電力を第１値以下に制御する第１制御を行う電力抑制部（5,11,100）を備えていることを特徴とする。
【０００８】
第１の態様では、システム全体の使用商用電力を抑制する抑制指令に応じて第１運転が実行されると、この第１運転の開始のタイミングに同期して第１制御が行われる。第１制御では、電力抑制部（5,11,100）により、システム全体の使用商用電力が第１値以下に制御される。これにより、第１運転の開始のタイミングから、抑制指令に迅速に対応できる。
【０００９】
第２の態様は、第１の態様において、前記電力抑制部は、前記圧縮機（11）と、前記第１制御において、システム全体の使用商用電力が前記第１値以下となるように前記圧縮機（11）を制御する制御装置（5）とを備えることを特徴とする空調システムである。
【００１０】
第２の態様の第１制御では、圧縮機（11）を制御することにより、システム全体の使用商用電力が第１値以下に抑えられる。
【００１１】
第３の態様は、第２の態様において、前記制御装置（5）は、前記第１制御において、前記使用商用電力を前記第１値以下としながら前記利用側熱交換器（41）の空調能力を要求能力に近づけるように前記圧縮機（11）を制御することを特徴とする空調システムである。
【００１２】
第３の態様の第１制御では、システム全体の使用商用電力を第１値以下に抑えながら利用側熱交換器（41）の空調能力が要求能力に近づくように圧縮機（11）が制御され、冷凍サイクルが定常状態に近づいていく。
【００１３】
第４の態様は、第２又は３の態様において、前記制御装置（5）は、前記第１運転の開始時に、前記使用商用電力が第２値を上回る場合に前記第１制御を行う一方、該使用商用電力が該第２値以下である場合に、前記使用商用電力によらず前記利用側熱交換器（41）の空調能力を要求能力に近づけるように圧縮機（11）を制御する第２制御を行うことを特徴とする空調システムである。
【００１４】
第４の態様では、抑制指令に応じて第１運転が開始された際、使用商用電力が第２値以下であると、第１制御が行われず、第２制御が行われる。第２制御では、使用商用電力を考慮せずに利用側熱交換器（41）の空調能力を要求能力に近づける圧縮機（11）の制御が行われる。
【００１５】
第５の態様は、第３又は４の態様において、前記制御装置（5）は、前記第１制御の開始時に前記圧縮機（11）を停止させることを特徴とする空調システムである。
【００１６】
第５の態様では、第１制御が開始された直後には、圧縮機（11）が停止するため、システム全体の使用商用電力を確実に低減できる。その後、第１制御により、利用側熱交換器（41）の空調能力が要求能力に近づくように圧縮機（11）が制御される。
【００１７】
第６の態様は、第２乃至５の態様のいずれか１つにおいて、前記制御装置（5）は、前記第１制御において、前記利用側熱交換器（41）の空調能力が要求能力に至ると、前記使用商用電力によらず前記利用側熱交換器（41）の空調能力を要求能力に近づけるように圧縮機（11）を制御する第２制御を行うことを特徴とする空調システムである。
【００１８】
第６の態様では、第１制御において利用側熱交換器（41）の空調能力が要求能力に至ると、使用商用電力を考慮しない第２制御に移行する。
【００１９】
第７の態様は、第１の態様において、前記冷媒回路（50）を含む空調ユニット（1A）を備え、前記電力抑制部は、蓄えた電力を前記空調ユニット（1A）に供給する蓄電装置（100）と、前記第１制御において、システム全体の使用商用電力が前記第１値以下となるように前記蓄電装置（100）の供給電力を制御する制御装置（5）とを備えていることを特徴とする空調システムである。
【００２０】
第７の態様の第１制御では、蓄電装置（100）から空調ユニット（1A）への供給電力を制御することにより、システム全体の使用商用電力が第１値以下に抑えられる。
【００２１】
第８の態様は、第７の態様において、前記制御装置（5）は、前記第１制御において、前記使用商用電力によらず前記利用側熱交換器（41）の空調能力を要求能力に近づけるように前記圧縮機（11）を制御することを特徴とする空調システムである。
【００２２】
第８の態様の第１制御では、使用商用電力を考慮せず利用側熱交換器（41）の空調能力が要求能力に近づくように圧縮機（11）が制御され、冷凍サイクルが定常状態に近づいていく。この際、蓄電装置（100）は、システム全体の使用商用電力が第１値以下に抑えられるように、空調ユニット（1A）に電力を供給する。
【００２３】
第９の態様は、第８の態様において、前記制御装置（5）は、前記第１制御において、前記蓄電装置（100）から前記空調ユニット（1A）に供給される電力がゼロで且つ前記利用側熱交換器（41）の空調能力が要求能力であると、前記蓄電装置（100）を停止させ前記空調ユニット（1A）の運転を継続させることを特徴とする空調システムである。
【００２４】
第９の態様では、蓄電装置（100）から空調ユニット（1A）への供給電力がゼロであり、且つ空調能力が要求能力である場合、蓄電装置（100）が停止し、空調ユニット（1A）のみの運転が継続される。
【００２５】
第１０の態様は、圧縮機（11）と、室内の空調を行う利用側熱交換器（41）と、蓄熱用熱交換器（21）とが接続され、冷凍サイクルを行う冷媒回路（50）を備え、システム全体の使用商用電力を促進する促進指令に応じて、前記蓄熱用熱交換器（21）で蓄熱を行いながら前記利用側熱交換器（41）で空調を行う第２運転を実行する空調システムであって、前記第２運転の開始のタイミングに同期して、前記システム全体の使用商用電力を第３値以上に制御する第３制御を行う電力促進部（5,11,100）を備えていることを特徴とする空調システムである。
【００２６】
第１０の態様では、システム全体の使用商用電力を促進する促進指令に応じて第２運転が実行されると、この第２運転の開始のタイミングに同期して第３制御が行われる。第３制御では、電力促進部（5,11,100）により、システム全体の使用商用電力が第３値以上に制御される。これにより、第２運転の開始のタイミングから、促進指令に迅速に対応できる。
【００２７】
第１１の態様は、第１０の態様において、前記電力促進部は、前記圧縮機（11）と、前記第３制御において、システム全体の使用商用電力が前記第３値以上となるように前記圧縮機（11）を制御する制御装置（5）とを備えることを特徴とする空調システムである。
【００２８】
第１１の態様の第３制御では、圧縮機（11）を制御することにより、システム全体の使用商用電力が第３値以上に促進される。
【００２９】
第１２の態様は、第１１の態様において、前記制御装置（5）は、前記第３制御において、前記使用商用電力を前記第３値以上としながら前記利用側熱交換器（41）の空調能力を要求能力に近づけるように前記圧縮機（11）を制御することを特徴とする空調システムである。
【００３０】
第１２の態様の第３制御では、システム全体の使用商用電力を第３値以上に促進させながら利用側熱交換器（41）の空調能力が要求能力に近づくように圧縮機（11）が制御され、冷凍サイクルが定常状態に近づいていく。
【００３１】
第１３の態様は、第１１又は１２の態様において、前記制御装置（5）は、前記第２運転の開始時に、前記使用商用電力が第４値を下回る場合に前記第３制御を行う一方、該使用商用電力が該第４値以上である場合に、前記使用商用電力によらず前記利用側熱交換器（41）の空調能力を要求能力に近づけるように圧縮機（11）を制御する第４制御を行うことを特徴とする空調システムである。
【００３２】
第１３の態様では、促進指令に応じて第２運転が開始された際、使用商用電力が第３値以上であると、第３制御が行われず、第４制御が行われる。第４制御では、使用商用電力を考慮せずに利用側熱交換器（41）の空調能力を要求能力に近づける圧縮機（11）の制御が行われる。
【００３３】
第１４の態様は、第１１乃至１３の態様のいずれか１つにおいて、前記制御装置（5）は、前記第３制御において、前記利用側熱交換器（41）の空調能力が要求能力に至ると、前記使用商用電力によらず前記利用側熱交換器（41）の空調能力を要求能力に近づけるように圧縮機（11）を制御する第４制御を行うことを特徴とする空調システムである。
【００３４】
第１４の態様では、第３制御において利用側熱交換器（41）の空調能力が要求能力に至ると、使用商用電力を考慮しない第４制御に移行する。
【００３５】
第１５の態様は、第１０の態様において、前記冷媒回路（50）を含む空調ユニット（1A）を備え、前記電力促進部は、蓄えた電力を前記空調ユニット（1A）に供給する蓄電装置（100）と、前記第３制御において、システム全体の使用商用電力が前記第３値以上となるように前記蓄電装置（100）に蓄える商用電力を制御する制御装置（5）とを備えていることを特徴とする空調システムである。
【００３６】
第１５の態様では、蓄電装置（100）に蓄電される商用電力を制御することにより、システム全体の使用商用電力が第３値以上に促進される。
【００３７】
第１６の態様は、第１５の態様において、前記制御装置（5）は、前記第３制御において、前記使用商用電力によらず前記利用側熱交換器（41）の空調能力を要求能力に近づけるように前記圧縮機（11）を制御することを特徴とする空調システムである。
【００３８】
第１６の態様の第３制御では、使用商用電力を考慮せず利用側熱交換器（41）の空調能力が要求能力に近づくように圧縮機（11）が制御され、冷凍サイクルが定常状態に近づいていく。
【００３９】
第１７の態様は、第１６の態様において、前記制御装置（5）は、前記第３制御において、前記蓄電装置（100）に供給される商用電力がゼロで且つ前記利用側熱交換器（41）の空調能力が要求能力であると、前記蓄電装置（100）を停止させ前記空調ユニット（1A）の運転を継続させることを特徴とする空調システムである。
【００４０】
第１７の態様では、第３制御において、商用電源から蓄電装置（100）に供給される商用電力がゼロであり、且つ空調能力が要求能力である場合、蓄電装置（100）が停止し、空調ユニット（1A）のみの運転が継続される。
【図面の簡単な説明】
【００４１】
【図１】図１は、実施形態１に係る空調システムの配管系統図である。
【図２】図２は、実施形態１に係る空調システムの配管系統図において、冷房運転の冷媒の流れを表したものである。
【図３】図３は、実施形態１に係る空調システムの配管系統図において、冷房ピークシフト運転の冷媒の流れを表したものである。
【図４】図４は、実施形態１に係る空調システムの配管系統図において、冷房ピークカット運転の冷媒の流れを表したものである。
【図５】図５は、実施形態１に係る空調システムの配管系統図において、冷房/冷蓄熱運転の冷媒の流れを表したものである。
【図６】図６は、実施形態１に係る空調システムの配管系統図において、冷蓄熱運転の冷媒の流れを表したものである。
【図７】図７は、実施形態１に係る空調システムの配管系統図において、暖房運転の冷媒の流れを表したものである。
【図８】図８は、実施形態１に係る空調システムの配管系統図において、暖房ピークカット運転の冷媒の流れを表したものである。
【図９】図９は、実施形態１に係る空調システムの配管系統図において、暖房/温蓄熱運転の冷媒の流れを表したものである。
【図１０】図１０は、実施形態１に係る空調システムの配管系統図において、温蓄熱運転の冷媒の流れを表したものである。
【図１１】図１１は、各運転の冷凍サイクルを対比したモリエル線図である。
【図１２】図１２は、実施形態１に係る空調ユニット、コントローラ、及び商用電源の関係を示した概略の構成図である。
【図１３】図１３は、実施形態１の第１運転に係る空調能力、及び使用商用電力の変化を模式的に示すタイムチャートである。
【図１４】図１４は、実施形態１の第１運転に係るフローチャートである。
【図１５】図１５は、実施形態１の第２運転に係る空調能力、及び使用商用電力の変化を模式的に示すタイムチャートである。
【図１６】図１６は、実施形態１の第２運転に係るフローチャートである。
【図１７】図１７は、実施形態２に係る空調ユニット、コントローラ、及び商用電源の関係を示した概略の構成図である。
【図１８】図１８は、実施形態２の第１運転に係る空調能力、及び使用商用電力の変化を模式的に示すタイムチャートである。
【図１９】図１９は、実施形態２の第１運転に係るフローチャートである。
【図２０】図２０は、実施形態２の第２運転に係る空調能力、及び使用商用電力の変化を模式的に示すタイムチャートである。
【図２１】図２１は、実施形態２の第２運転に係るフローチャートである。
【発明を実施するための形態】
【００４２】
以下、本開示の実施形態について図面を参照しながら説明する。なお、以下の実施形態は、本質的に好ましい例示であって、本発明、その適用物、あるいはその用途の範囲を制限することを意図するものではない。
【００４３】
《実施形態１》
実施形態１は、蓄熱媒体に熱（冷熱及び温熱）を蓄えるとともに、蓄えた熱を空調に利用する蓄熱式の空調システムである。実施形態１の空調システム（1）は、室外ユニット（10）（熱源側ユニット）と、蓄熱ユニット（20）と、複数の流路切換ユニット（30）と、複数の室内ユニット（40）（利用側ユニット）とを備え、これらを冷媒配管で接続することにより構成された冷媒回路（50）を備える。複数の室内ユニット（40）及び流路切換ユニット（30）は、室外ユニット（10）及び蓄熱ユニット（20）に対して並列に接続される。蓄熱ユニット（20）と各室内ユニット（40）の間には、流路切換ユニット（30）が接続される。空調システム（1）は、冷房運転と暖房運転が混在する運転が可能に構成され、運転を制御するコントローラ（5）を備える。なお、図１等においては、２台の室内ユニット（40）を図示し、これらと並列に接続される室内ユニットの図示は省略している。
【００４４】
室外ユニット（10）と蓄熱ユニット（20）は、室外側第１ガス連絡管（51）と室外側第２ガス連絡管（52）と室外側液連絡管（53）で接続される。蓄熱ユニット（20）と流路切換ユニット（30）とは、中間部第１ガス連絡管（54）と中間部第２ガス連絡管（55）と中間部液連絡管（56）とで接続される。蓄熱ユニット（20）と室内ユニット（40）とは、室内側ガス連絡管（57）と室内側液連絡管（58）とで接続される。
【００４５】
〈室外ユニット〉
室外ユニット（10）には、圧縮機（11）、室外熱交換器（12）、レシーバ（13）、アキュムレータ（14）、第１四路切換弁（15）、第２四路切換弁（16）、第３四路切換弁（17）、及びブリッジ回路（18）が設けられる。圧縮機（11）の吐出配管（11a）は、吐出側第１分岐管（61）と吐出側第２分岐管（62）と吐出側第３分岐管（63）に分岐する。吐出側第１分岐管（61）は、第１四路切換弁（15）の第１ポートに接続され、吐出側第２分岐管（62）は、第２四路切換弁（16）の第１ポートに接続される。吐出側第３分岐管（63）は、第３四路切換弁（17）の第１ポートに接続される。
【００４６】
室外熱交換器（12）は、第１室外熱交換器（12a）と第２室外熱交換器（12b）とを含んでいる。第１室外熱交換器（12a）のガス側端は第１四路切換弁（15）の第２ポートに接続され、第２室外熱交換器（12b）のガス側端は第２四路切換弁（16）の第２ポートに接続される。第１四路切換弁（15）の第３ポートには吸入側第１分岐管（64）が、第２四路切換弁（16）の第３ポートには吸入側第２分岐管（65）が、第３四路切換弁（17）の第３ポートには吸入側第３分岐管（66）が、それぞれ接続される。吸入側第１分岐管（64）と吸入側第３分岐管（66）は室外低圧管（67）の一端に接続される。圧縮機（11）の吸入配管（11b）はアキュムレータ（14）のガス流出ポート（14a）に接続され、アキュムレータ（14）の第１ガス流入ポート（14b）には室外側第１ガス管（68）の一端が接続される。室外低圧管（67）の他端は、室外側第１ガス連絡管（51）に合流する。室外側第１ガス管（68）の他端は、室外側第１ガス連絡管（51）に接続される。
【００４７】
第３四路切換弁（17）の第２ポートには室外側第２ガス管（69）の一端が接続される。室外側第２ガス管（69）の他端は室外側第２ガス連絡管（52）に接続される。
【００４８】
第１四路切換弁（15）の第４ポート、第２四路切換弁（16）の第４ポート、及び第３四路切換弁（17）の第４ポートは、それぞれ、閉鎖された閉鎖ポートである。第１四路切換弁（15）、第２四路切換弁（16）、及び第３四路切換弁（17）は、第１ポートと第２ポートが連通するとともに第３ポートと第４ポートが連通する第１状態（図１の実線の連通状態）と、第１ポートと第４ポートが連通するとともに第２ポートと第３ポートが連通する第２状態（図１の破線の連通状態）とに切換可能に構成される。図１において、第１四路切換弁（15）と第２四路切換弁（16）は第１状態を示し、第３四路切換弁（17）は第２状態を示している。
【００４９】
第１室外熱交換器（12a）の液側端は室外側液第１分岐管（71）に接続され、第２室外熱交換器（12b）の液側端は室外側液第２分岐管（72）に接続される。室外側液第１分岐管（71）には室外側第１膨張弁（73）（膨張機構）が接続され、室外側液第２分岐管（72）には室外側第２膨張弁（74）(膨張機構）が接続される。室外側液第１分岐管（71）と室外側液第２分岐管（72）は合流し、室外側液管（75）に接続される。室外側液管（75）は、ブリッジ回路（18）を介して室外側液連絡管（53）に接続される。
【００５０】
室外側液管（75）には、ブリッジ回路（18）を介して、液冷媒を貯留可能な上記レシーバ（13）が接続される。ブリッジ回路（18）は、第１接続点（18a）、第２接続点（18b）、第３接続点（18c）、及び第４接続点（18d）を有し、これらの接続点が配管接続された閉回路である。第１接続点（18a）と第２接続点（18b）との間には、第１接続点（18a）から第２接続点（18b）へ向かう方向への冷媒の流れを許容し、逆方向の冷媒の流れを禁止する第１逆止弁（19a）が設けられる。第３接続点（18c）と第２接続点（18b）との間には、第３接続点（18c）から第２接続点（18b）へ向かう方向への冷媒の流れを許容し、逆方向の冷媒の流れを禁止する第２逆止弁（19b）が設けられる。第４接続点（18d）と第３接続点（18c）との間には、第４接続点（18d）から第３接続点（18c）へ向かう方向への冷媒の流れを許容し、逆方向の冷媒の流れを禁止する第３逆止弁（19c）が設けられる。第４接続点（18d）と第１接続点（18a）との間には、第４接続点（18d）から第１接続点（18a）へ向かう方向への冷媒の流れを許容し、逆方向の冷媒の流れを禁止する第４逆止弁（19d）が設けられる。
【００５１】
ブリッジ回路（18）の第２接続点（18b）とレシーバ（13）の液流入ポート（13a）とは、室外流量調整弁（76）を有する液流入管（77）で接続される。レシーバ（13）の液流出ポート（13b）とブリッジ回路（18）の第４接続点（18d）とは、液流出管（79）で接続される。液流出管（79）には、レシーバ（13）から第４接続点（18d）へ向かう冷媒の流れを許容し、逆方向への冷媒の流れを禁止する室外逆止弁（78）が設けられる。レシーバ（13）のガス流出ポート（13c）は、開度調整可能なガス抜き弁（80）が設けられたガス抜き管（81）の一端が接続される。ガス抜き管（81）の他端はアキュムレータ（14）の第２ガス流入ポート（14c）に接続される。
【００５２】
〈蓄熱ユニット〉
蓄熱ユニット（20）は、蓄熱用熱交換器（21）と第４四路切換弁（22）と流量調整機構（23）とを有する。蓄熱用熱交換器（21）は、蓄熱媒体として例えば水が貯留された蓄熱槽（21a）と、蓄熱槽（21a）の中に設けられた複数パス（図示せず）の伝熱管（21b）とを有する。蓄熱用熱交換器（21）は、冷房時に蒸発器になるときには蓄熱槽（21a）の中の伝熱管（21b）の周りに低温冷媒で氷を生成し、逆に放熱器になるときには冷媒が氷に放熱する構成の、いわゆるスタティック型の蓄熱用熱交換器（21）である。蓄熱用熱交換器（21）は、暖房時に放熱器になるときには水を加熱して温水を生成し、蒸発器になるときには冷媒が温水から吸熱する。
【００５３】
蓄熱ユニット（20）は、蓄熱側第１ガス管（85）と、蓄熱側第２ガス管（86）と、蓄熱側液管（87）とを有する。蓄熱側第１ガス管（85）は、室外側第１ガス連絡管（51）と中間部第１ガス連絡管（54）とに接続される。蓄熱側第１ガス管（85）は、室外側第１ガス連絡管（51）と中間部第１ガス連絡管（54）とに接続される。蓄熱側第２ガス管（86）は、室外側第２ガス連絡管（52）と中間部第２ガス連絡管（55）とに接続される。蓄熱側液管（87）は、室外側液連絡管（53）と中間部液連絡管（56）とに接続される。
【００５４】
第４四路切換弁（22）の第１ポートは第１接続管（88）を介して蓄熱側第１ガス管（85）に接続される。第４四路切換弁（22）の第２ポートには第２接続管（89）の一端が接続され、第２接続管（89）の他端は蓄熱側液管（87）に接続される。第２接続管（89）には、電動弁で構成された蓄熱側第１流量調整弁（90）と、蓄熱側第１開閉弁（91）（電磁弁）と、蓄熱側液管（87）へ向かう方向の冷媒流れのみを許容する蓄熱側第１逆止弁（92）とが直列で配置される。第２接続管（89）には、蓄熱側第１流量調整弁（90）と蓄熱側第１開閉弁（91）との間に接続された蓄熱側第１分岐管（93）が蓄熱用熱交換器（21）の伝熱管（21b）のガス側端に接続される。第４四路切換弁（22）の第３ポートは第３接続管（94）を介して蓄熱側第２ガス管（86）に接続される。第４四路切換弁（22）の第４ポートは閉鎖された閉鎖ポートである。
【００５５】
第４四路切換弁（22）は、第１ポートと第２ポートが連通するとともに第３ポートと第４ポートが連通する第１状態（図１の実線の状態）と、第１ポートと第４ポートが連通するとともに第２ポートと第３ポートが連通する第２状態（図１の破線の状態）とに切換可能に構成される。
【００５６】
蓄熱側液管（87）には蓄熱側第２開閉弁（95）が設けられる。蓄熱側第２開閉弁（95）は、室外側液管（75）から中間部液連絡管（56）へ向かう冷媒の流れのみを許容するように構成される。蓄熱側液管（87）には、蓄熱側第２開閉弁（95）をバイパスする第１バイパス通路（96）が接続される。この第１バイパス通路（96）には、中間部液連絡管（56）から室外側液管（75）へ向かう冷媒の流れを許容し、逆方向への冷媒の流れを禁止する蓄熱側第２逆止弁（97）が設けられる。
【００５７】
蓄熱用熱交換器（21）の液側端は、蓄熱側第２分岐管（98）を介して蓄熱側液管（87）に、室外側液管（75）と蓄熱側第２開閉弁（95）との間で接続される。蓄熱側第２分岐管（98）には上記流量調整機構（23）が接続される。流量調整機構（23）は、蓄熱側第２分岐管（98）に設けられた蓄熱側流量調整弁（99a）（開度調整弁）と、蓄熱側流量調整弁（99a）（開度調整弁）をバイパスする第２バイパス通路（98a）に設けられた蓄熱側第３開閉弁（99b）（電磁弁）とを有する。
【００５８】
〈流路切換ユニット〉
流路切換ユニット（30）は、ガス側接続管（31）と液側接続管（32）とを有する。ガス側接続管（31）は、ガス側主管（33）と切換部第１分岐管（33a）と切換部第２分岐管（33b）とを備え、切換部第１分岐管（33a）に第１流路切換弁（34a）が、切換部第２分岐管（33b）に第２流路切換弁（34b）が設けられる。ガス側主管（33）は、一端が室内側ガス連絡管（57）に、他端が切換部第１分岐管（33a）及び切換部第２分岐管（33b）の一端にそれぞれ接続される。切換部第１分岐管（33a）の他端は上記中間部第１ガス連絡管（54）に接続され、切換部第２分岐管（33b）の他端は中間部第２ガス連絡管（55）に接続される。
【００５９】
第１流路切換弁（34a）及び第２流路切換弁（34b）は、各流路切換ユニット（30）において冷媒流れを許容または遮断する制御弁である。各流路切換弁（34a，34b）は、モータ駆動により開度を調整可能に構成された電動調整弁で構成され、冷媒回路（50）における室内の冷媒の流路が電気制御で切り換えられる。これらの電動調整弁の開閉状態を切り換えることによって冷媒の流れを制御し、各室内ユニット（40）において冷房運転と暖房運転が個別に切り換えられる。なお、各流路切換弁（34a，34b）には、電動調整弁の代わりに電磁開閉弁を用いてもよい。
【００６０】
液側接続管（32）は液側主管（35）を備え、液側主管（35）には過冷却熱交換器（36）が接続される。液側主管（35）には、中間部液連絡管（56）と過冷却熱交換器（36）との間に過冷却配管（37）の一端が接続される。過冷却配管（37）は、過冷却熱交換器（36）の中を通過し、他端が切換部第１分岐管（33a）における第１流路切換弁（34a）と中間部第１ガス連絡管（54）との間に接続される。過冷却配管（37）には、液側主管（35）と過冷却熱交換器（36）との間に流量調整弁（38）が設けられる。流量調整弁の開度を調整することによって、過冷却回路へ流れ込む冷媒の量が調整される。
【００６１】
〈室内ユニット〉
室内ユニット（40）は、それぞれ、室内熱交換器（41）（利用側熱交換器）と室内膨張弁（42）とを有する。室内膨張弁（42）は、開度調整可能な電子膨張弁により構成される。この室内ユニット（40）では、室内熱交換器（41）のガス側端が流路切換ユニット（30）に室内側ガス連絡管（57）で接続され、室内膨張弁（42）が流路切換ユニット（30）に室内側液連絡管（58）で接続される。
【００６２】
〈コントローラの概略構成〉
コントローラ（5）は、制御基板上に搭載されたマイクロコンピュータと、該マイクロコンピュータを動作させるためのソフトウエアを格納するメモリディバイス（具体的には半導体メモリ）とを含む。コントローラ（5）は、運転指令やセンサの検出信号に基づいて、空調システム（1）の各機器を制御する。コントローラ（5）による各機器の制御により、空調システム（1）の運転が切り換えられる。
【００６３】
図では１台のコントローラ（5）が各ユニットと冷媒切換器に接続された構成を示しているが、設置条件に応じてコントローラ（5）を複数に分け、各コントローラ（5）が連動した制御を行うように構成してもよい。
【００６４】
−運転動作−
実施形態の空調システム（1）は、冷房運転、冷房ピークシフト運転（冷房過冷却運転）、冷房ピークカット運転、冷房／冷蓄熱運転、冷蓄熱運転、暖房運転、暖房ピークカット運転、暖房／温蓄熱運転、及び温蓄熱運転を切り換えて行う。この空調システム（1）では、流路切換ユニット（30）の冷媒流れ方向の設定を切り換えることにより、複数の室内ユニット（40）において冷房運転と暖房運転が混在する運転が可能であるが、その動作の説明は省略する。
【００６５】
以下、各運転における冷媒回路（50）の動作を説明する。
【００６６】
〈冷房運転〉
図２に示す冷房運転は、蓄熱用熱交換器（21）を用いずに、室外熱交換器（12）が放熱器になり、室内熱交換器（41）が蒸発器になる状態で、冷媒が冷媒回路（50）を循環する運転である。
【００６７】
この冷房運転時、室外ユニット（10）では、第１四路切換弁（15）及び第２四路切換弁（16）は第１状態に設定される。図２の状態で室外側第１膨張弁（73）及び室外側第２膨張弁（74）はいずれも全開に設定されるが、室外熱交換器（12）を１台のみで運転する場合は、室外側第１膨張弁（73）及び室外側第２膨張弁（74）の一方が閉鎖される（以下の各運転でも同様）。室外流量調整弁（76）は全開に設定される。
【００６８】
蓄熱ユニット（20）では、蓄熱側第２開閉弁（95）は開放され、蓄熱側流量調整弁（99a）と蓄熱側第３開閉弁（99b）は閉鎖される。
【００６９】
流路切換ユニット（30）では、各室内ユニット（40）で冷房運転を行うとすると、第１流路切換弁（34a）を開放し、第２流路切換弁（34b）を閉鎖し、流量調整弁が所定開度に制御される。室内ユニット（40）では、室内膨張弁（42）が所定開度に制御される。
【００７０】
なお、図示していないが、冷房運転を行う室内ユニット（40）と暖房運転を行う室内ユニット（40）が混在する場合は、室外ユニット（10）の第３四路切換弁（17）を第２状態に切り換えるとともに、暖房運転を行う室内ユニット（40）の室内膨張弁（42）を全開にし、第１流路切換弁（34a）を閉鎖し、第２流路切換弁（34b）を開放する。
【００７１】
図２の冷房運転時は、圧縮機（11）から吐出された冷媒が第１室外熱交換器（12a）及び第２室外熱交換器（12b）で放熱し、凝縮ないし冷却された冷媒がレシーバ（13）に流入する。レシーバ（13）から流出した冷媒は、蓄熱ユニット（20）の蓄熱側液管（87）を通過した後、流路切換ユニット（30）で過冷却されて室内ユニット（40）へ流入する。
【００７２】
室内ユニット（40）では、冷媒が室内膨張弁（42）で減圧され、室内熱交換器（41）で室内空気から吸熱して蒸発する。このとき、室内空気が冷却され、室内が冷房される。室内ユニット（40）から流出した冷媒は、流路切換ユニット（30）のガス側接続管（31）と蓄熱ユニット（20）の蓄熱側第１ガス管（85）を通り、室外ユニット（10）に戻る。冷媒は、室外ユニット（10）の室外側第１ガス管（68）からアキュムレータ（14）に流入した後、圧縮機（11）に吸入される。
【００７３】
冷房運転時は、冷媒回路（50）において以上の動作が連続する冷凍サイクルが行われる。図１１に、通常運転と示した冷凍サイクルのＰ−ｈ線図を示している。この状態では、以下に説明する冷房ピークカット運転や冷房ピークシフト運転よりも冷媒の高低圧力差が大きく、エンタルピ差は小さい。
【００７４】
〈冷房ピークシフト運転〉
図３に示す冷房ピークシフト運転は、蓄熱槽（21a）の中に氷が生成されている蓄熱用熱交換器（21）を過冷却熱交換器（36）として用い、室外熱交換器（12）が放熱器になり、室内熱交換器（41）が蒸発器になる状態で、冷媒が冷媒回路（50）を循環する運転である。
【００７５】
この冷房ピークシフト運転時、室外ユニット（10）、流路切換ユニット（30）、及び室内ユニット（40）の各弁の制御は冷房運転時と同じである。蓄熱ユニット（20）では、蓄熱側第２開閉弁（95）が閉鎖され、蓄熱側流量調整弁（99a）と蓄熱側第３開閉弁（99b）が開放される。なお、蓄熱側第３開閉弁（99b）を開放し、蓄熱側流量調整弁（99a）を閉鎖してもよい。蓄熱側第１流量調整弁（90）は閉鎖され、蓄熱側第１開閉弁（91）は開放される。
【００７６】
冷房ピークシフト運転時は、圧縮機（11）から吐出された冷媒が第１室外熱交換器（12a）及び第２室外熱交換器（12b）で放熱し、凝縮ないし冷却された冷媒がレシーバ（13）に流入する。レシーバ（13）から流出した冷媒は、蓄熱ユニット（20）の蓄熱側液管（87）から蓄熱側第２分岐管（98）へ分流し、蓄熱用熱交換器（21）へ流入して過冷却される。
【００７７】
過冷却された冷媒は、各流路切換ユニット（30）を通って各室内ユニット（40）へ流入し、室内膨張弁（42）で減圧された後に室内熱交換器（41）で蒸発し、そのときに室内空気を冷却して室内を冷房する。室内熱交換器（41）で蒸発した冷媒は、流路切換ユニット（30）のガス側接続管（31）及び蓄熱ユニット（20）の蓄熱側第１ガス管（85）を通って室外ユニット（10）に戻る。室外ユニット（10）に戻った冷媒は、アキュムレータ（14）を介して圧縮機（11）に吸入される。
【００７８】
冷房ピークシフト運転時は、冷媒回路（50）において以上の動作が連続する冷凍サイクルが行われる。図１１に冷房ピークシフト運転のＰ−ｈ線図を示すように、この状態では、上記冷房運転よりも、冷媒の高低圧力差が小さく、蓄熱用熱交換器（21）で冷媒を過冷却しているのでエンタルピ差は大きい。高低圧力差が小さいために圧縮機（11）の入力が少なくて済み、通常の冷房運転時と比べて消費電力が抑えられるとともにＣＯＰ（成績係数）が高くなる。
【００７９】
〈冷房ピークカット運転〉
図４に示す冷房ピークカット運転は、蓄熱槽（21a）の中に氷が生成されている蓄熱用熱交換器（21）が放熱器になり、室内熱交換器（41）が蒸発器になる状態で、冷媒が冷媒回路（50）を循環する運転である。この運転では室外熱交換器（12）は用いない。
【００８０】
この冷房ピークカット運転時、室外ユニット（10）では、第１四路切換弁（15）と第２四路切換弁（16）が第２状態に設定され，第３四路切換弁（17）が第１状態に設定される。室外側第１膨張弁（73）及び室外側第２膨張弁（74）は閉鎖される。
【００８１】
蓄熱ユニット（20）では、第４四路切換弁（22）が第２状態に設定され、蓄熱側第１流量調整弁（90）が開放され、蓄熱側第１開閉弁（91）が閉鎖される。蓄熱側第２開閉弁（95）と蓄熱側第３開閉弁（99b）は開放され、蓄熱側流量調整弁（99a）は閉鎖される。流路切換ユニット（30）と室内ユニット（40）の弁の制御は冷房運転や冷房ピークシフト運転と同じである。
【００８２】
冷房ピークカット運転時は、圧縮機（11）から吐出された冷媒が第１室外熱交換器（12a）及び第２室外熱交換器（12b）へは流れずに、第３四路切換弁（17）と第４四路切換弁（22）を通って蓄熱用熱交換器（21）へ流入して放熱する。蓄熱用熱交換器（21）で凝縮ないし冷却された冷媒は、蓄熱側第３開閉弁（99b）と蓄熱側第２開閉弁（95）を通って蓄熱ユニット（20）から流出し、各流路切換ユニット（30）を通って各室内ユニット（40）へ流入する。
【００８３】
冷媒は、室内膨張弁（42）で減圧された後に室内熱交換器（41）で蒸発し、そのときに室内空気を冷却して室内を冷房する。室内熱交換器（41）で蒸発した冷媒は、流路切換ユニット（30）のガス側接続管（31）及び蓄熱ユニット（20）の蓄熱側第１ガス管（85）を通って室外ユニット（10）に戻る。室外ユニット（10）に戻った冷媒は、アキュムレータ（14）を介して圧縮機（11）に吸入される。
【００８４】
図１１に冷房ピークカット運転のＰ−ｈ線図を示すように、この状態では、上記冷房運転よりも、冷媒の高低圧力差が非常に小さく、エンタルピ差が大きい。このように、冷房ピークカット運転では高圧圧力が極端に低い冷凍サイクルが行われ、高低圧力差が小さいために圧縮機（11）の入力が少なくて済み、通常の冷房運転時やピークシフト運転時と比べて消費電力が抑えられるとともにＣＯＰ（成績係数）が高くなる。
【００８５】
〈冷房／冷蓄熱運転〉
図５に示す冷房／冷蓄熱運転は、図２の冷房運転を行いながら、蓄熱用熱交換器（21）を蒸発器にして蓄熱槽（21a）の水を冷却し、冷蓄熱をする運転である。
【００８６】
この冷房／冷蓄熱運転は、蓄熱ユニット（20）において、蓄熱側流量調整弁（99a）の開度が適宜調整されるとともに蓄熱側第３開閉弁（99b）が閉鎖され、蓄熱側第１流量調整弁（90）が開放されるとともに蓄熱側第１開閉弁（91）が閉鎖される点を除いては、各弁の状態は図２の冷房運転と同じである。
【００８７】
冷房／冷蓄熱運転時は、圧縮機（11）から吐出された冷媒が第１室外熱交換器（12a）及び第２室外熱交換器（12b）で放熱し、凝縮ないし冷却された冷媒がレシーバ（13）に流入する。レシーバ（13）から流出した冷媒は、蓄熱ユニット（20）の蓄熱側液管（87）を通過した後、流路切換ユニット（30）で過冷却されて室内ユニット（40）へ流入する。
【００８８】
室内ユニット（40）では、冷媒が室内膨張弁（42）で減圧され、室内熱交換器（41）で室内空気から吸熱して蒸発する。このとき、室内空気が冷却され、室内が冷房される。室内ユニット（40）から流出した冷媒は、流路切換ユニット（30）のガス側接続管（31）と蓄熱ユニット（20）の蓄熱側第１ガス管（85）を流れる。
【００８９】
一方、蓄熱側液管（87）を流れる冷媒の一部は蓄熱側第２分岐管（98）に分流し、蓄熱側流量調整弁（99a）で減圧されて蓄熱用熱交換器（21）へ流入し、蒸発する。蒸発した冷媒は、第２接続管（89）及び第１接続管（88）を通って蓄熱側第１ガス管（85）の冷媒と合流する。
【００９０】
蓄熱側第１ガス管（85）を流れる冷媒は、室外側第１ガス連絡管（51）を通って室外ユニット（10）に戻る。冷媒は、室外ユニット（10）の室外側第１ガス管（68）からアキュムレータ（14）に流入した後、圧縮機（11）に吸入される。
【００９１】
〈冷蓄熱運転〉
図６に示す冷蓄熱運転は、室外熱交換器（12）を放熱器にし、蓄熱用熱交換器（21）を蒸発器にして蓄熱槽（21a）の水を冷却し、冷蓄熱をする運転である。
【００９２】
この冷蓄熱運転は、室外ユニット（10）の弁の制御は図５の冷房／冷蓄熱運転と同じである。蓄熱ユニット（20）では、蓄熱側第２開閉弁（95）が閉鎖され、冷媒が各流路切換ユニット（30）と各室内ユニット（40）へ流れないようにしている点を除いては、弁の制御は冷房／冷蓄熱運転と同じでよい。
【００９３】
冷蓄熱運転時は、圧縮機（11）から吐出された冷媒が第１室外熱交換器（12a）及び第２室外熱交換器（12b）で放熱し、凝縮ないし冷却された冷媒がレシーバ（13）に流入する。レシーバ（13）から流出した冷媒は蓄熱側第２分岐管（98）に流入し、蓄熱側流量調整弁（99a）で減圧されて蓄熱用熱交換器（21）で蒸発する。
【００９４】
蒸発した冷媒は、第２接続管（89）及び第１接続管（88）を通って蓄熱側第１ガス管（85）へ流入する。蓄熱側第１ガス管（85）を流れる冷媒は、室外側第１ガス連絡管（51）を通って室外ユニット（10）に戻る。冷媒は、室外ユニット（10）の室外側第１ガス管（68）からアキュムレータ（14）に流入した後、圧縮機（11）に吸入される。
【００９５】
〈暖房運転〉
図７に示す暖房運転は、蓄熱用熱交換器（21）を用いずに、室内熱交換器（41）が放熱器になり、室外熱交換器（12）が蒸発器になる状態で、冷媒が冷媒回路（50）を循環する運転である。
【００９６】
この暖房運転時、室外ユニット（10）では、第１四路切換弁（15）及び第２四路切換弁（16）は第２状態に設定される。室外側第１膨張弁（73）及び室外側第２膨張弁（74）はいずれも所定開度に制御されるが、室外熱交換器（12）を１台のみで運転する場合は、室外側第１膨張弁（73）及び室外側第２膨張弁（74）の一方が閉鎖される（以下の各運転でも同様）。室外流量調整弁（76）は全開に設定される。
【００９７】
蓄熱ユニット（20）では、蓄熱側第２開閉弁（95）は閉鎖され、蓄熱側流量調整弁（99a）と蓄熱側第３開閉弁（99b）は閉鎖される。
【００９８】
流路切換ユニット（30）では、各室内ユニット（40）で暖房運転を行うとすると、第１流路切換弁（34a）が閉鎖され、第２流路切換弁（34b）が開放され、流量調整弁が閉鎖される。室内ユニット（40）では、室内膨張弁（42）が全開に制御される。
【００９９】
暖房運転時は、圧縮機（11）から吐出された冷媒が第３四路切換弁（17）から蓄熱ユニット（20）の蓄熱側第２ガス管（86）を通り、さらに流路切換ユニット（30）のガス側接続管（31）を通って室内ユニット（40）へ流入する。冷媒は室内熱交換器（41）で放熱し、凝縮ないし冷却された冷媒が室内ユニット（40）から流出して流路切換ユニット（30）の液側接続管（32）を流れ、中間部液連絡管（56）から蓄熱ユニット（20）へ流入する。冷媒は、蓄熱ユニット（20）の蓄熱側液管（87）から第１バイパス通路（96）を通り、室外側液連絡管（53）から室外ユニット（10）へ戻る。
【０１００】
冷媒は、液流入管（77）を通ってレシーバ（13）へ流入した後、液流出管（79）へ流出する。冷媒は、ブリッジ回路（18）を通って室外側第１膨張弁（73）及び室外側第２膨張弁（74）で減圧された後、第１室外熱交換器（12a）及び第２室外熱交換器（12b）で蒸発する。蒸発した冷媒は、室外低圧管（67）を通ってアキュムレータ（14）へ流入した後、圧縮機（11）に吸入される。
【０１０１】
〈暖房ピークカット運転〉
図８に示す暖房ピークカット運転は、室外熱交換器（12）を用いずに、室内熱交換器（41）が放熱器になり、蓄熱用熱交換器（21）が蒸発器になる状態で、冷媒が冷媒回路（50）を循環する運転である。
【０１０２】
この暖房ピークカット運転時、室外ユニット（10）では、第１四路切換弁（15）及び第２四路切換弁（16）は第２状態に設定され、第３四路切換弁（17）は第１状態に設定される。室外側第１膨張弁（73）及び室外側第２膨張弁（74）は、いずれも閉鎖される。
【０１０３】
蓄熱ユニット（20）では、蓄熱側第２開閉弁（95）は開放され、蓄熱側流量調整弁（99a）は所定開度に制御され、蓄熱側第３開閉弁（99b）は閉鎖される。流路切換ユニット（30）及び室内ユニット（40）では、弁の制御は暖房運転時と同じである。
【０１０４】
暖房ピークカット運転時は、圧縮機（11）から吐出された冷媒が第３四路切換弁（17）から蓄熱ユニット（20）の蓄熱側第２ガス管（86）を通り、さらに流路切換ユニット（30）のガス側接続管（31）を通って室内ユニット（40）へ流入する。冷媒は室内熱交換器（41）で放熱し、凝縮ないし冷却された冷媒が室内ユニット（40）から流出して流路切換ユニット（30）の液側接続管（32）を流れ、中間部液連絡管（56）から蓄熱ユニット（20）へ流入する。
【０１０５】
冷媒は、蓄熱ユニット（20）の蓄熱側液管（87）から第１バイパス通路（96）を通り、さらに蓄熱側第２分岐管（98）を通って蓄熱側流量調整弁（99a）で減圧され、蓄熱熱交換器において蓄熱槽（21a）の中に貯留されている水から吸熱して蒸発する。
【０１０６】
蒸発した冷媒は、第２接続管（89）及び第１接続管（88）を通って蓄熱側第１ガス管（85）へ流入する。蓄熱側第１ガス管（85）を流れる冷媒は、室外側第１ガス連絡管（51）を通って室外ユニット（10）に戻る。冷媒は、室外ユニット（10）の室外側第１ガス管（68）からアキュムレータ（14）に流入した後、圧縮機（11）に吸入される。
【０１０７】
〈暖房／温蓄熱運転〉
図９に示す暖房／温蓄熱運転は、室内熱交換器（41）が放熱器になり、室外熱交換器（12）が蒸発器になる状態で、冷媒が冷媒回路（50）を循環する暖房運転を行いながら、蓄熱熱交換器において蓄熱槽（21a）の水を加熱し、温熱を蓄える運転である。
【０１０８】
この暖房／温蓄熱運転時、室外ユニット（10）では、弁は図７の暖房運転と同様に制御される。蓄熱ユニット（20）では、蓄熱側第１流量調整弁（90）は全開に制御され、蓄熱側第１開閉弁（91）は閉鎖される。蓄熱側第２開閉弁（95）及び蓄熱側第３開閉弁（99b）は閉鎖され、蓄熱側流量調整弁（99a）が所定開度に制御される。流路切換ユニット（30）と室内ユニット（40）の弁の制御は図７の暖房運転時と同じである。
【０１０９】
この暖房／温蓄熱運転時は、圧縮機（11）から吐出された冷媒が第３四路切換弁（17）から蓄熱ユニット（20）の蓄熱側第２ガス管（86）を通り、一部は第４四路切換弁（22）から第２接続管（89）へ分流し、残りは流路切換ユニット（30）のガス側接続管（31）を通って室内ユニット（40）へ流入する。冷媒は室内熱交換器（41）で放熱し、凝縮ないし冷却された冷媒が室内ユニット（40）から流出して流路切換ユニット（30）の液側接続管（32）を流れ、中間部液連絡管（56）から蓄熱ユニット（20）へ流入する。冷媒は、蓄熱ユニット（20）の蓄熱側液管（87）から第１バイパス通路（96）を流れる。
【０１１０】
蓄熱側第２ガス管（86）から第４四路切換弁（22）を通って第２接続管（89）へ分流した冷媒は、蓄熱用熱交換器（21）へ流入して蓄熱槽（21a）の水へ放熱し、水を加熱して温熱が蓄えられる。蓄熱用熱交換器（21）で放熱した冷媒は、蓄熱側第２分岐管（98）を通って蓄熱側液管（87）へ流入し、第１バイパス通路（96）を流れた冷媒と蓄熱側液管（87）で合流した後、室外側液連絡管（53）から室外ユニット（10）へ流入する。
【０１１１】
室外ユニット（10）へ流入した冷媒は、液流入管（77）を通ってレシーバ（13）へ流入した後、液流出管（79）へ流出する。冷媒は、ブリッジ回路（18）を通って室外側第１膨張弁（73）及び室外側第２膨張弁（74）を通過した後、第１室外熱交換器（12a）及び第２室外熱交換器（12b）で蒸発する。蒸発した冷媒は、室外低圧管（67）を通ってアキュムレータ（14）へ流入した後、圧縮機（11）に吸入される。
【０１１２】
〈温蓄熱運転〉
図１０に示す温蓄熱運転は、室内熱交換器（41）を使わずに、蓄熱熱交換器が放熱器になり、室外熱交換器（12）が蒸発器になる状態で、冷媒が冷媒回路（50）を循環し、蓄熱熱交換器で温熱を蓄える運転である。
【０１１３】
温蓄熱運転時、室外ユニット（10）では、弁は図７の暖房運転と同様に制御される。蓄熱ユニット（20）では、蓄熱側第１流量調整弁（90）は全開に制御され、蓄熱側第１開閉弁（91）は閉鎖される。蓄熱側第２開閉弁（95）と蓄熱側第３開閉弁（99b）とは閉鎖され、蓄熱側流量調整弁（99a）は所定開度に制御される。流路切換ユニット（30）と室内ユニット（40）では、第１流路切換弁（34a）及び室外膨張弁の少なくとも一方が閉鎖され、室内熱交換器（41）を冷媒が流れるのが阻止される。
【０１１４】
この温蓄熱運転時は、圧縮機（11）から吐出された冷媒が第３四路切換弁（17）から蓄熱ユニット（20）の蓄熱側第２ガス管（86）を通り、第４四路切換弁（22）から第２接続管（89）へ分流する。冷媒は、蓄熱用熱交換器（21）へ流入して蓄熱槽（21a）の水へ放熱し、水を加熱して温熱が蓄えられる。蓄熱用熱交換器（21）で放熱した冷媒は、蓄熱側第２分岐管（98）を通って蓄熱側液管（87）へ流入し、さらに室外側液連絡管（53）から室外ユニット（10）へ流入する。
【０１１５】
室外ユニット（10）へ流入した冷媒は、液流入管（77）を通ってレシーバ（13）へ流入した後、液流出管（79）へ流出する。冷媒は、ブリッジ回路（18）を通って室外側第１膨張弁（73）及び室外側第２膨張弁（74）を通過した後、第１室外熱交換器（12a）及び第２室外熱交換器（12b）で蒸発する。蒸発した冷媒は、室外低圧管（67）を通ってアキュムレータ（14）へ流入した後、圧縮機（11）に吸入される。
【０１１６】
〈コントローラ等の詳細〉
図１２に示すように、本実施形態の空調システム（1）は、空調ユニット（1A）と、上述したコントローラ（5）とを備える。空調ユニット（1A）は、室外ユニット（10）と、蓄熱ユニット（20）と、複数の流路切換ユニット（30）と、複数の室内ユニット（40）とを含む。空調ユニット（1A）は、所定の電源ライン（L）を介して商用電源（C）に接続される。
【０１１７】
電源ライン（L）には、空調ユニット（1A）のシステム全体の使用商用電力を検出するための電力検出部（6）が設けられる。
【０１１８】
コントローラ（5）は、流路切換機構を制御することで、上述した複数の運転を切り換えるように構成される。流路切換機構は、冷媒回路（50）の冷媒の流路を切り換えるように構成される。具体的には、流路切換機構は、冷媒回路（50）に接続された上述の複数の弁で構成され、例えば開閉弁、四路切換弁、逆止弁、流量調節弁、膨張弁などを含む。コントローラ（5）が流路切換機構を制御することで、冷媒の流路が図２〜図１０のように変更され、上述した複数の運転が切り換えられる。
【０１１９】
上述した各運転は、冷房モード及び暖房モードにおいて実行される。冷房モードは、夏季などにおいて室内を冷房するために実行される運転を含む。具体的には、冷房モードは、冷房運転、冷房ピークシフト運転（冷房過冷却運転）、冷房ピークカット運転、冷房／冷蓄熱運転、及び冷蓄熱運転を含んでいる。暖房モードは、冬季などにおいて室内を暖房するために実行される運転を含む。具体的に、暖房モードは、上述した暖房運転、暖房ピークカット運転、暖房／温蓄熱運転、及び温蓄熱運転を含む。
【０１２０】
コントローラ（5）には、受信部（5a）と、圧縮機制御部（5b）とが設けられる。受信部（5a）には、電力供給者などからの信号が入力される。この信号は、第１信号である抑制指令と、第２信号である促進指令とを含む。抑制指令は、空調システム（1）のシステム全体の使用商用電力を抑制することを要求する信号である。促進指令は、空調システム（1）のシステム全体の使用商用電力を促進することを要求する信号である。
【０１２１】
コントローラ（5）は、抑制指令が受信部（5a）に入力されると、使用商用電力を抑制するための第１運転を行うように空調ユニット（1A）を制御する。第１運転は、蓄熱用熱交換器（21）を熱源としながら室内熱交換器（41）で空調を行う運転である。空調システム（1）が冷房モードである場合、第１運転は冷房ピークカット運転となる。つまり、冷房モードのある運転中において、受信部（5a）に抑制指令が入力されると、コントローラ（5）は、冷房ピークカット運転を実行するように空調ユニット（1A）を制御する。空調システム（1）が暖房モードである場合、第１運転は暖房ピークカット運転となる。つまり、暖房モードにおいて、受信部（5a）に促進指令が入力されると、コントローラ（5）は、暖房ピークカット運転を実行するように空調ユニット（1A）を制御する。
【０１２２】
コントローラ（5）は、促進指令が受信部（5a）に入力されると、使用商用電力を促進するための第２運転を行うように空調ユニット（1A）を制御する。第２運転は、蓄熱用熱交換器（21）で蓄熱を行いながら室内熱交換器（41）で空調を行う運転である。空調システム（1）が冷房モードである場合、第２運転は冷房／冷蓄熱運転となる。つまり、冷房モードのある運転中において、受信部（5a）に促進指令が入力されると、コントローラ（5）は、冷房／冷蓄熱運転を実行するように空調ユニット（1A）を制御する。空調システム（1）が暖房モードである場合、第２運転は暖房／温蓄熱運転となる。つまり、暖房モードのある運転中において、受信部（5a）に促進指令が入力されると、コントローラ（5）は、暖房／温蓄熱運転を実行するように空調ユニット（1A）を制御する。
【０１２３】
圧縮機制御部（5b）は、第１運転（即ち、冷房ピークカット運転や暖房ピークカット運転）の開始時において、使用商用電力を所定の目標値（第１値）以下に抑制する制御（第１制御）を行う。つまり、第１制御では、使用商用電力が第１値以下となるように圧縮機（11）が制御される。圧縮機制御部（5b）は、第２運転（即ち、冷房／冷蓄熱運転や暖房／暖蓄熱運転）の開始時において、使用商用電力を所定の目標値（第３値）以上に促進する制御（第３制御）を行う。つまり、第３制御では、使用商用電力が第３値以上となるように圧縮機（11）が制御される。
【０１２４】
実施形態１では、圧縮機（11）及びコントローラ（5）（制御装置）が、第１運転の開始時において、システム全体の使用商用電力を第１値以下とする電力抑制部を構成している。実施形態１では、圧縮機（11）及びコントローラ（5）が、第２運転の開始時において、システム全体の使用商用電力を第３値以上とする電力促進部を構成している。
【０１２５】
〈第１運転の課題〉
例えば冷房モードにおいて、受信部（5a）に抑制指令が入力されると、上述したように、ある運転から冷房ピークカット運転に移行する。冷房ピークカット運転では、蓄熱槽（21a）に蓄熱した冷熱が冷房に利用されるため、システム全体の使用商用電力を抑制できる。
【０１２６】
一方、ある運転から冷房ピークカット運転に移行した直後には、冷媒の流れが切り換わるため、冷凍サイクルが定常状態に至るまでの間にある程度の時間を要する。この結果、受信部（5a）に抑制指令が入力されたにも拘わらず、使用商用電力を速やかに低減することができず、使用商用電力が目標値（目標使用商用電力ともいう）を越えてしまう可能性があった。このような期間において使用商用電力が目標値を越えてしまうと、電力供給者などの要望に応えられなくなる。この課題は、暖房ピークカット運転の開始時においても同様に生じる。加えて、この課題は、停止状態の空調ユニット（1A）が冷房ピークカット運転や暖房ピークカット運転を開始する場合にも生じうる。
【０１２７】
特に冷房ピークカット運転の開始時には、圧縮機（11）で圧縮された後の高圧ガス冷媒が、蓄熱用熱交換器（21）へ供給される。ここで、冷房ピークカット運転の直前の他の運転において、冷媒が蓄熱用熱交換器（21）の内部に液冷媒として溜まっていると、高圧ガス冷媒によってこの液冷媒を押し出すためにかなりの時間を要する。このため、冷房ピークカット運転の冷凍サイクルが定常状態に至るまでに時間がかかり、使用商用電力の抑制の要望に十分に応えられない可能性があった。よって、冷房ピークカット運転の開始時には、このような課題が顕著となる。
【０１２８】
〈第１運転の開始時の制御〉
本実施形態では、上記の第１運転の課題に着目し、第１運転の開始時に以下の制御を行うようにしている。この制御について、図１３及び図１４を参照しながら説明する。ここでは、冷房モード時における第１運転の開始時の制御について詳細に説明する。
【０１２９】
図１３に示すように、冷房運転では、室内ユニット（40）（室内熱交換器（41））において所定の空調能力（ここでは冷房能力）が得られるように空調ユニット（1A）が制御される。ここで、室内ユニット（40）の空調能力は、例えば冷房モード時の設定温度、及び室内温度（例えば吸込空気の温度）に基づいて決定される。例えば冷房運転中において、図１３の時点t1に受信部（5a）に抑制指令が受信されたとする。この場合、図１４のステップST1からステップST2に移行し、冷房運転から冷房ピークカット運転に切り換わる。
【０１３０】
空調ユニット（1A）には、抑制指令を受信した場合の目標使用商用電力（第１値）が予め設定されている。この目標使用商用電力は、冷房ピークカット運転の冷凍サイクルが定常状態に至った場合には、十分に満たすことができる程度の値に設定されている。逆にいうと、抑制指令のあった直後から、単純に冷房ピークカット運転を開始した場合、冷凍サイクルが定常状態に至るまでの間、使用商用電力が目標使用商用電力を上回ってしまう可能性がある。
【０１３１】
そこで、ステップST3において、電力検出部（6）で検出した使用商用電力が所定値（第２値）を上回る場合、ステップST4及びST5の第１制御に移行する。この所定値は、冷房ピークカット運転の目標使用商用電力（第１値）と同じであってもよいし、第１値よりも低い所定値であってもよい。一方、ステップST3において、使用商用電力が所定値（第２値）以下である場合、ステップST7に移行し、第２制御が行われる。この第２制御は、使用商用電力を考慮せず、空調能力を要求能力に近づける制御であり、例えば冷房運転の通常の制御と同じといえる。なお、ステップST3の判定を省略し、ステップST2において冷房ピークカット運転が開始されると、必ずステップST4に移行するようにしてもよい。また、ステップST3の判定後、ステップST4を省略してステップST5に移行するようにしてもよい。
【０１３２】
第１制御が実行されると、まず、ステップST4において圧縮機制御部（5b）が圧縮機（11）を停止させる。これにより、抑制指令のタイミングに同期して、使用商用電力が大幅に低下する。従って、冷房ピークカット運転の立ち上がり時において、使用商用電力が目標使用商用電力を上回ることを確実に回避できる。
【０１３３】
次いで、ステップST5に移行すると、使用商用電力を目標使用商用電力以下としながら、空調能力を要求能力に近づけるように圧縮機（11）が制御される。この制御は、例えば室内ユニット（40）の冷媒の蒸発温度、要求能力から定まる冷媒の目標蒸発温度、電力検出部（6）で検出した使用商用電力、目標使用商用電力などを制御パラメータとしながら、圧縮機（11）の回転数を制御することで実現できる。これにより、第１制御では、図１３にも示すように、室内ユニット（40）の空調能力が徐々に要求能力に近づいていき、冷房ピークカット運転の冷凍サイクルが定常状態へと近づいていく。これにより、冷房ピークカット運転において、蓄熱（冷熱）を利用することにより削減される電力（図１３のハッチングを付した領域の面積）が徐々に増大し、冷房ピークカット運転による電力抑制効果も徐々に発揮されていく。
【０１３４】
次いで、ステップST6に移行し、空調能力が未だ要求能力に至ってない場合、ステップST8へ移行する。ステップST8において、抑制指令が解除されている場合、冷房運転に戻り、抑制指令が解除されていない場合、ステップST5の制御が継続して行われる。
【０１３５】
その後、図１３の時点t2において空調能力が要求能力に至ると、第１制御が終了し、第２制御が実行される（ステップST7）。ステップST7では、使用商用電力によらず、空調能力を要求能力に近づける制御（通常の制御）が行われる。従って、ステップST7に移行した後は、制御パラメータが少なくなり、空調ユニット（1A）の制御性が向上する。
【０１３６】
以上のように、冷房ピークカット運転の開始時には、システム全体の使用商用電力を目標使用商用電力以下とする第１制御が実行される。この結果、冷房ピークカット運転の開始時においても、電力の抑制要求を確実に満足させることができる。
【０１３７】
なお、詳細の説明は省略するが、第１運転である暖房ピークカット運転においても、冷房ピークカット運転と同様の制御が行われる。この結果、暖房ピークカット運転の開始時においても、電力の抑制要求を確実に満足させることができる。
【０１３８】
〈第２運転の課題〉
例えば冷房モードにおいて、受信部（5a）に促進指令が入力されると、上述したように、ある運転から冷房／冷蓄熱運転に移行する。冷房／冷蓄熱運転では、蓄熱槽（21a）に冷熱を蓄えながら冷房が行われるため、システム全体の使用商用電力を促進できる。
【０１３９】
一方、ある運転から冷房／冷蓄熱運転に移行した直後には、冷媒の流れが切り換わるため、冷凍サイクルが定常状態に至るまでの間にある程度の時間を要する。この結果、受信部（5a）に促進指令が入力されたにも拘わらず、使用商用電力を速やかに増大することができず、使用商用電力が目標値（目標使用商用電力ともいう）を下回ってしまう可能性があった。このような期間において使用商用電力が目標値を下回ってしまうと、電力供給者などの要望に応えられなくなる。この課題は、暖房／温蓄熱運転の開始時においても同様に生じる。加えて、この課題は、停止状態の空調ユニット（1A）が冷房／冷蓄熱運転や暖房／温蓄熱運転を開始する場合にも生じうる。
【０１４０】
〈第２運転の開始時の制御〉
本実施形態では、上記の第２運転の課題に着目し、第２運転の開始時に以下の制御を行うようにしている。この制御について、図１５及び図１６を参照しながら説明する。ここでは、冷房モード時における第２運転の開始時の制御について詳細に説明する。
【０１４１】
図１５に示すように、冷房運転では、室内ユニット（40）において所定の空調能力（ここでは冷房能力）が得られるように空調ユニット（1A）が制御される。例えば冷房運転中において、図１５の時点t3に受信部（5a）に促進指令が受信されたとする。この場合、図１６のステップST11からステップST12に移行し、冷房運転から冷房／冷蓄熱運転に切り換わる。
【０１４２】
空調ユニット（1A）には、促進指令を受信した場合の目標使用商用電力（第３値）が予め設定されている。この目標使用商用電力は、冷房／冷蓄熱運転の冷凍サイクルが定常状態に至った場合には、十分に満たすことができる程度の値に設定されている。逆にいうと、促進指令のあった直後から、単純に冷房／冷蓄熱運転を開始した場合、冷凍サイクルが定常状態に至るまでの間、使用商用電力が目標使用商用電力を下回ってしまう可能性がある。
【０１４３】
そこで、ステップST13において、電力検出部（6）で検出した使用商用電力が所定値（第４値）を下回る場合、ステップST15の第３制御に移行する。この所定値は、冷房／冷蓄熱運転の目標使用商用電力（第３値）と同じであってもよいし、第３値よりも高い所定値であってもよい。一方、ステップST13において、使用商用電力が所定値（第４値）以上である場合、ステップST17に移行し、第４制御が行われる。この第４制御は、使用商用電力を考慮せず、空調能力を要求能力に近づける制御であり、例えば冷房運転の通常の制御と同じといえる。なお、ステップST13の判定を省略し、ステップST12において冷房／冷蓄熱運転が開始されると、必ずステップST15に移行するようにしてもよい。
【０１４４】
第３制御が実行されると、使用商用電力を目標使用商用電力以上としながら、空調能力を要求能力に近づけるように圧縮機（11）が制御される。この制御は、例えば室内ユニット（40）の冷媒の蒸発温度、要求能力から定まる冷媒の目標蒸発温度、電力検出部（6）で検出した使用商用電力、目標使用商用電力などを制御パラメータとしながら、圧縮機（11）の回転数を制御することで実現できる。これにより、第３制御では、図１５にも示すように、室内ユニット（40）の空調能力が徐々に要求能力に近づいていき、冷房／冷蓄熱運転の冷凍サイクルが定常状態へと近づいていく。これにより、冷房／冷蓄熱運転において、熱（冷熱）を蓄えることにより増大する電力（図１５のハッチングを付した領域の面積）が徐々に増大し、冷房／冷蓄熱運転による電力促進効果も徐々に発揮されていく。
【０１４５】
次いで、ステップST16に移行し、空調能力が未だ要求能力を越えている場合、ステップST18へ移行する。ステップST18において、促進指令が解除されている場合、冷房運転に戻り、促進指令が解除されていない場合、ステップST15の制御が継続して行われる。
【０１４６】
その後、図１５の時点t4において空調能力が要求能力に至ると、第３制御が終了し、第４制御が実行される（ステップST17）。ステップST17では、使用商用電力によらず、空調能力を要求能力に近づける制御（通常の制御）が行われる。従って、ステップST17に移行した後は、制御パラメータが少なくなり、空調ユニット（1A）の制御性が向上する。
【０１４７】
以上のように、冷房／冷蓄熱運転の開始時には、システム全体の使用商用電力を目標使用商用電力以上とする第３制御が実行される。この結果、冷房／冷蓄熱運転の開始時においても、電力の促進要求を確実に満足させることができる。
【０１４８】
なお、詳細の説明は省略するが、第２運転である暖房／温蓄熱運転においても、冷房／冷蓄熱運転と同様の制御が行われる。この結果、暖房／温蓄熱運転の開始時においても、電力の促進要求を確実に満足させることができる。
【０１４９】
−実施形態１の効果−
実施形態１では、第１運転の開始のタイミングに同期して、システム全体の使用商用電力を第１値以下に制御する第１制御を行う電力抑制部を備えている。この構成により、冷房ピークカット運転や暖房ピークカット運転の開始時において、冷凍サイクルが定常状態に至るまでの間にも使用商用電力を確実に目標使用商用電力以下に抑えることができる。よって、電力供給者などの電力の抑制要求を確実に満たすことができる。
【０１５０】
実施形態１の電力抑制部は、圧縮機（11）と、第１制御においてシステム全体の使用商用電力が第１値以下となるように圧縮機（11）を制御するコントローラ（5）（制御装置）とを備える。この構成により、圧縮機（11）の制御によってシステム全体の使用商用電力を容易に第１値以下に抑えることができる。
【０１５１】
実施形態１のコントローラ（5）は、第１制御において、使用商用電力を第１値以下としながら室内熱交換器（41）（利用側熱交換器）の空調能力を要求能力に近づけるように圧縮機（11）を制御する（ステップST5）。この構成により、使用商用電力が第１値を上回ることを抑制しつつ、冷凍サイクルを定常状態に近づけていくことができる。
【０１５２】
実施形態１のコントローラ（5）は、第１運転の開始時に、使用商用電力が第２値を上回る場合に第１制御を行う一方、使用商用電力が第２値以下である場合に、使用商用電力によらず室内熱交換器（利用側熱交換器（41））の空調能力を要求能力に近づけるように圧縮機（11）を制御する第２制御を行う(ステップST7）。この構成により、第１運転が開始する際、使用商用電力が十分に低い場合には、すぐに第２制御に移行できる。第２制御は、使用商用電力を考慮しない制御であるため、空調ユニット（1A）の制御性が向上する。よって、空調能力を速やかに要求能力に収束させることができる。
【０１５３】
実施形態１のコントローラ（5）は、第１制御の開始時に圧縮機（11）を停止する。この構成により、第１制御において、使用商用電力を確実且つ急峻に低下させることができ、使用商用電力が目標値を上回ることを一層確実に回避できる。
【０１５４】
実施形態１のコントローラ（5）は、第１制御において、室内熱交換器（41）（利用側熱交換器）の空調能力が要求能力に至ると、使用商用電力によらず室内熱交換器（41）の空調能力を要求能力に近づけるように圧縮機（11）を制御する第２制御を行う。この条件により第２制御に移行させることで、使用商用電力が目標値を上回ることを回避しつつ、空調ユニット（1A）において通常の能力制御を行うことができる。
【０１５５】
実施形態１では、第２運転の開始のタイミングに同期して、システム全体の使用商用電力を第３値以上に制御する第３制御を行う電力促進部を備えている。この構成により、冷房／冷蓄熱運転や暖房／温蓄熱運転の開始時において、冷凍サイクルが定常状態に至るまでの間にも使用商用電力を確実に目標使用商用電力以上とすることができる。よって、電力供給者などの電力の促進要求を確実に満たすことができる。
【０１５６】
実施形態１の電力促進部は、圧縮機（11）と、第３制御においてシステム全体の使用商用電力が第３値以上となるように圧縮機（11）を制御するコントローラ（制御装置）とを備える。この構成により、圧縮機（11）の制御によってシステム全体の使用商用電力を容易に第３値以上に促進させることができる。
【０１５７】
実施形態１のコントローラ（5）は、第３制御において、使用商用電力を第３値以上としながら室内熱交換器（41）（利用側熱交換器）の空調能力を要求能力に近づけるように圧縮機（11）を制御する（ステップST15）。この構成により、使用商用電力が第３値を下回ることを抑制しつつ、冷凍サイクルを定常状態に近づけていくことができる。
【０１５８】
実施形態１のコントローラ（5）は、第２運転の開始時に、使用商用電力が第４値を下回る場合に第３制御を行う一方、使用商用電力が第４値以上である場合に、使用商用電力によらず利用側熱交換器（41）の空調能力を要求能力に近づけるように圧縮機（11）を制御する第４制御を行う（ステップST17）。この構成により、第２運転が開始する際、使用商用電力が十分に高い場合には、すぐに第４制御に移行できる。第４制御は、使用商用電力を考慮しない制御であるため、空調ユニット（1A）の制御性が向上する。よって、空調能力を速やかに要求能力に収束させることができる。
【０１５９】
実施形態１のコントローラ（5）は、第３制御において、室内熱交換器（41）（利用側熱交換器）の空調能力が要求能力に至ると、使用商用電力によらず室内熱交換器（41）の空調能力を要求能力に近づけるように圧縮機（11）を制御する第４制御を行う。空調能力が要求能力に至ったということは、冷凍サイクルが定常状態に至ったとみなすことができる。よって、この条件により第４制御に移行させることで、使用商用電力が目標値を下回ることを回避しつつ、空調ユニット（1A）において通常の能力制御を行うことができる。
【０１６０】
《実施形態２》
実施形態２の空調システム（1）は、実施形態１の空調ユニット（1A）に加えて、蓄電池を含む蓄電装置（100）を備えている。つまり、実施形態２の空調システム（1）は、蓄熱の機能に加えて、商用電源（C）の電力を蓄えたり、充電した電力を空調ユニット（1A）に供給したりする蓄電の機能も有する。
【０１６１】
図１７に模式的に示すように、空調システム（1）の電源ライン（L）には、電力切換回路（7）が接続される。電力切換回路（7）は、交流電力及び直流電力を相互に変換する電力変換回路を含んでいる。電力切換回路（7）は、商用電源（C）の商用電力が空調ユニット（1A）のみに供給される状態（第１状態）と、商用電源（C）の商用電力が蓄電装置（100）のみに供給される状態（第２状態）と、商用電源（C）の商用電力が空調ユニット（1A）及び蓄電装置（100）に供給される状態（第３状態）と、商用電源（C）の商用電力、及び蓄電装置（100）に蓄えられた電力が空調ユニット（1A）に供給される状態（第４状態）とに切り換え可能に構成される。
【０１６２】
コントローラ（5）には、受信部（5a）、圧縮機制御部（5b）、及び電力制御部（5c）が設けられる。電力制御部（5c）は、電力切換回路（7）の状態を切り換えたり、蓄電装置（100）に蓄える電力や、蓄電装置（100）から空調ユニット（1A）に供給する電力を制御したりする。
【０１６３】
実施形態２の第１制御では、蓄電装置（100）から空調ユニット（1A）に電力が供給されることで、システム全体の使用商用電力が目標使用商用電力（第１値）以下に抑えられる。つまり、実施形態２の電力抑制部は、蓄電装置（100）と、第１制御において蓄電装置（100）の供給電力を制御するコントローラ（5）（厳密には、電力制御部（5c））によって構成される。
【０１６４】
実施形態２の第３制御では、商用電源（C）からの商用電力を充電することで、システム全体の使用商用電力が目標使用商用電力（第３値）以上に維持される。つまり、実施形態２の電力促進部は、蓄電装置（100）と、第３制御において蓄電装置（100）に蓄電される商用電力を制御するコントローラ（5）（厳密には、電力制御部（5c））によって構成される。
【０１６５】
〈第１運転の開始時の制御〉
実施形態２に係る第１運転の開始時の制御について、図１８及び図１９を参照しながら説明する。ここでは、冷房モード時における第１運転の開始時の制御について詳細に説明する。
【０１６６】
図１８に示すように、冷房運転では、室内ユニット（40）（室内熱交換器（41））において所定の空調能力（ここでは冷房能力）が得られるように空調ユニット（1A）が制御される。例えば冷房運転中において、図１８の時点t5に受信部（5a）に抑制指令が受信されたとする。この場合、図１９のステップST21からステップST22に移行し、冷房運転から冷房ピークカット運転に切り換わる。
【０１６７】
次いで、ステップST23において、電力検出部（6）で検出した使用商用電力が所定値（第２値）を上回る場合、ステップST25の第１制御に移行する。この所定値は、冷房ピークカット運転の目標使用商用電力（第１値）と同じであってもよいし、第１値よりも低い所定値であってもよい。一方、ステップST23において、使用商用電力が所定値（第２値）以下である場合、ステップST27に移行し、第２制御が行われる。この第２制御は、蓄電装置（100）を停止しながら、空調能力を要求能力に近づける制御であり、例えば冷房運転の通常の制御と同じといえる。なお、ステップST23の判定を省略し、ステップST22において冷房ピークカット運転が開始されると、必ずステップST25に移行するようにしてもよい。
【０１６８】
ステップST25において第１制御が実行されると、コントローラ（5）は、空調能力を要求能力に近づけるように圧縮機（11）を制御する。同時に、コントローラ（5）は、電力切換回路（7）を第４状態とする。これにより、空調ユニット（1A）には、商用電源（C）の商用電力と、蓄電装置（100）に蓄えられた電力との双方が供給される。ここで、コントローラ（5）は、システム全体の使用商用電力が目標使用商用電力（第１値）以下となるように、蓄電装置（100）の供給電力を制御する。つまり、第１制御では、使用商用電力を第１値以下とし且つ空調能力を要求能力に維持するために不足する電力を、蓄電装置（100）が補うことになる。これにより、図１８に示すように、第１運転の開始時において、使用商用電力が目標使用商用電力を上回ることを回避できるとともに、十分な空調能力を得ることができる。
【０１６９】
空調ユニット（1A）の冷凍サイクルが定常状態に近づくにつれて、冷房ピークカット運転による蓄熱利用の削減電力が徐々に増えていく。これに伴い、蓄電装置（100）の供給電力は徐々に減っていく。
【０１７０】
ステップST26において、蓄電装置（100）の供給電力が０となり、且つ空調能力が要求能力以上である条件が成立すると、第１制御が終了し、第２制御が実行される（ステップST27）。ステップST26の条件が成立しない場合、ステップST28へ移行する。ステップST28において、抑制指令が解除されている場合、冷房運転に戻り、抑制指令が解除されていない場合、ステップST25の制御が継続して行われる。
【０１７１】
例えば図１８の時点t6においてステップST26の条件が成立すると、ステップST27に移行する。ステップST27では、第２制御が実行され、電力切換回路（7）が第１状態となる。つまり、第２制御では、蓄電装置（100）が停止するとともに、使用商用電力によらず、空調能力を要求能力に近づける制御（通常の制御）が行われる。従って、ステップST27に移行した後は、運転パラメータが少なくなる。また、このように、蓄電装置（100）を必要最小限の期間のみ利用することで、蓄電装置（100）の小容量化を図ることができる。
【０１７２】
以上のように、冷房ピークカット運転の開始時には、システム全体の使用商用電力を目標使用商用電力以下とする第１制御が実行される。この結果、冷房ピークカット運転の開始時においても、電力の抑制要求を確実に満足させることができる。
【０１７３】
なお、詳細の説明は省略するが、第１運転である暖房ピークカット運転においても、冷房ピークカット運転と同様の制御が行われる。この結果、暖房ピークカット運転の開始時においても、電力の抑制要求を確実に満足させることができる。
【０１７４】
〈第２運転の開始時の制御〉
実施形態２に係る第２運転の開始時の制御について、図２０及び図２１を参照しながら説明する。ここでは、冷房モード時における第２運転の開始時の制御について詳細に説明する。
【０１７５】
図２０に示すように、冷房運転では、室内ユニット（40）（室内熱交換器（41））において所定の空調能力（ここでは冷房能力）が得られるように空調ユニット（1A）が制御される。例えば冷房運転中において、図２０時点t7に受信部（5a）に促進指令が受信されたとする。この場合、図２１のステップST31からステップST32に移行し、冷房運転から冷房／冷蓄熱運転に切り換わる。
【０１７６】
次いで、ステップST33において、電力検出部（6）で検出した使用商用電力が所定値（第４値）を下回る場合、ステップST35の第３制御に移行する。この所定値は、冷房／冷蓄熱運転の目標使用商用電力（第３値）と同じであってもよいし、第３値よりも高い所定値であってもよい。一方、ステップST33において、使用商用電力が所定値（第４値）以上である場合、ステップST37に移行し、第４制御が行われる。この第４制御は、蓄電装置（100）を停止しながら、空調能力を要求能力に近づける制御であり、例えば冷房運転の通常の制御と同じといえる。なお、ステップST33の判定を省略し、ステップST32において冷房／冷蓄熱運転が開始されると、必ずステップST35に移行するようにしてもよい。
【０１７７】
ステップST35において第３制御が実行されると、コントローラ（5）は、空調能力を要求能力に近づけるように圧縮機（11）を制御する。同時に、コントローラ（5）は、電力切換回路（7）を第３状態とする。これにより、商用電源（C）の商用電力が、空調ユニット（1A）及び蓄電装置（100）の双方に供給される。ここで、コントローラ（5）は、システム全体の使用商用電力が目標使用商用電力（第３値）以上となるように、蓄電装置（100）に蓄えられる商用電力（充電力）を制御する。つまり、第３制御では、空調能力を要求能力に維持するだけでは目標使用商用電力に対して不足してしまう使用商用電力を、蓄電装置（100）への商用電力の供給により補うことになる。これにより、図２０に示すように、第２運転の開始時において、使用商用電力が目標使用商用電力を下回ることを回避できるとともに、空調能力を要求能力に維持できる。
【０１７８】
空調ユニット（1A）の冷凍サイクルが定常状態に近づくにつれて、冷房／冷蓄熱運転の蓄熱により増大する電力が徐々に増えていく。これに伴い、蓄電装置（100）の充電力は徐々に減っていく。
【０１７９】
ステップST36において、商用電源（C）から蓄電装置（100）へ供給される商用電力（充電力）が０となり、且つ空調能力が要求能力である条件が成立すると、第３制御が終了し、第４制御が実行される（ステップST37）。ステップST36の条件が成立しない場合、ステップST38へ移行する。ステップST38において、促進指令が解除されている場合、冷房運転に戻り、促進指令が解除されていない場合、ステップST35の制御が継続して行われる。
【０１８０】
例えば図２０の時点t8においてステップST36の条件が成立すると、ステップST37に移行する。ステップST37では、第４制御が実行され、電力切換回路（7）が第１状態となる。つまり、第４制御では、蓄電装置（100）が停止するとともに、使用商用電力によらず、空調能力を要求能力に近づける制御（通常の制御）が行われる。従って、ステップST37に移行した後は、制御パラメータが少なくなり、空調ユニット（1A）の制御性が向上する。また、このように、蓄電装置（100）を必要最小限の期間のみ利用することで、蓄電装置（100）の小容量化を図ることができる。
【０１８１】
以上のように、冷房／冷蓄熱運転の開始時には、システム全体の使用商用電力を目標使用商用電力以上とする第３制御が実行される。この結果、冷房／冷蓄熱運転の開始時においても、電力の促進要求を確実に満足させることができる。
【０１８２】
−実施形態２の効果−
実施形態２の電力抑制部は、蓄えた商用電力を空調ユニット（1A）に供給する蓄電装置（100）と、第１制御において、システム全体の使用商用電力が前記第１値以下となるように前記蓄電装置（100）の供給電力を制御するコントローラ（5）（制御装置）とを備えている。この構成により、蓄電装置（100）の制御によってシステム全体の使用商用電力を確実に第１値以下に抑えることができる。第１制御において、空調ユニット（1A）の空調能力を大きく低下させる必要もない。
【０１８３】
実施形態２のコントローラ（5）は、第１制御において、使用商用電力によらず室内熱交換器（41）（利用側熱交換器）の空調能力を要求能力に近づけるように圧縮機（11）を制御する。この構成により、第１運転の開始時において、使用商用電力の抑制要求と、空調能力の要求との双方を確実に満たすことができる。
【０１８４】
実施形態２のコントローラ（5）は、第１制御において、蓄電装置（100）から空調ユニット（1A）に供給される電力がゼロで且つ室内熱交換器（41）（利用側熱交換器）の空調能力が要求能力であると、前記蓄電装置（100）を停止させ前記空調ユニット（1A）の運転を継続させる。蓄電装置（100）から空調ユニット（1A）への供給電力がゼロであり、且つ空調能力が要求能力であることは、第１運転の冷凍サイクルが定常状態に至っていることを意味する。従って、この条件判定により、冷凍サイクルが定常状態に至ったタイミングに合わせて蓄電装置（100）を確実に停止できる。その後には、空調ユニット（1A）のみを制御して、冷房ピークカット運転や暖房ピークカット運転を継続できるため、空調システム（1）の制御性が向上する。加えて、蓄電装置（100）から空調ユニット（1A）に供給する供給電力を必要最小限に抑えることができる。よって、蓄電装置（100）の小容量化を図ることができ、ひいては空調システム（1）の小型化を図ることができる。
【０１８５】
実施形態２の電力促進部は、蓄えた商用電力を空調ユニット（1A）に供給する蓄電装置（100）と、第３制御において、システム全体の使用商用電力が第３値以上となるように蓄電装置（100）に蓄える商用電力を制御するコントローラ（5）（制御装置）とを備えている。この構成により、蓄電装置（100）の制御によってシステム全体の使用商用電力を確実に第３値以上とすることができる。第３制御において、空調ユニット（1A）の空調能力を大きく増大させる必要もない。
【０１８６】
実施形態２のコントローラ（5）は、第３制御において、使用商用電力によらず室内熱交換器（41）（利用側熱交換器）の空調能力を要求能力に近づけるように圧縮機（11）を制御する。この構成により、第２運転の開始時において、使用商用電力の促進要求と、空調能力の要求との双方を確実に満たすことができる。
【０１８７】
実施形態２のコントローラ（5）は、第３制御において、前記蓄電装置（100）に供給される商用電力がゼロで且つ前記利用側熱交換器（41）の空調能力が要求能力であると、前記蓄電装置（100）を停止させ前記空調ユニット（1A）の運転を継続させる。蓄電装置（100）の充電力がゼロであり、且つ空調能力が要求能力であることは、第２運転の冷凍サイクルが定常状態に至っていることを意味する。従って、この条件判定により、冷凍サイクルが定常状態に至ったタイミングに合わせて蓄電装置（100）を確実に停止できる。その後には、空調ユニット（1A）のみを制御して、冷房／冷蓄熱運転や暖房／温蓄熱運転を継続できるため、空調システム（1）の制御性が向上する。加えて、蓄電装置（100）から空調ユニット（1A）に供給する充電力を必要最小限に抑えることができる。よって、蓄電装置（100）の小容量化を図ることができ、ひいては空調システム（1）の小型化を図ることができる。
【０１８８】
《その他の実施形態》
上述した空調システム（1）の蓄熱ユニット（20）は、蓄熱媒体が貯留される蓄熱槽と、蓄熱用熱交換器と、ポンプとが接続される蓄熱回路を有し、ポンプが循環する蓄熱媒体と冷媒とが蓄熱用熱交換器で熱交換する、いわゆるダイナミック式であってもよい。
【０１８９】
蓄熱媒体は、水に限られない。蓄熱媒体は、冷却されることによって包接水和物が生成される蓄熱媒体（例えば臭化テトラｎブチルアンモニウム水溶液）であってもよい。
【０１９０】
以上、実施形態および変形例を説明したが、特許請求の範囲の趣旨および範囲から逸脱することなく、形態や詳細の多様な変更が可能なことが理解されるであろう。また、以上の実施形態、変形例、その他の実施形態は、本開示の対象の機能を損なわない限り、適宜組み合わせたり、置換したりしてもよい。以上に述べた「第１」、「第２」、「第３」…という記載は、これらの記載が付与された語句を区別するために用いられており、その語句の数や順序までも限定するものではない。
【産業上の利用可能性】
【０１９１】
本開示は、空調システムについて有用である。
【符号の説明】
【０１９２】
１              空調システム
１Ａ            空調ユニット
５              コントローラ（制御装置、電力抑制部、電力促進部）
１１            圧縮機（電力抑制部、電力促進部）
２１            蓄熱用熱交換器
４１            利用側熱交換器
５０            冷媒回路
１００          蓄電装置（電力抑制部、電力促進部）
【図１】
2020051730.tif 000003
【図２】
2020051730.tif 000004
【図３】
2020051730.tif 000005
【図４】
2020051730.tif 000006
【図５】
2020051730.tif 000007
【図６】
2020051730.tif 000008
【図７】
2020051730.tif 000009
【図８】
2020051730.tif 000010
【図９】
2020051730.tif 000011
【図１０】
2020051730.tif 000012
【図１１】
2020051730.tif 000013
【図１２】
2020051730.tif 000014
【図１３】
2020051730.tif 000015
【図１４】
2020051730.tif 000016
【図１５】
2020051730.tif 000017
【図１６】
2020051730.tif 000018
【図１７】
2020051730.tif 000019
【図１８】
2020051730.tif 000020
【図１９】
2020051730.tif 000021
【図２０】
2020051730.tif 000022
【図２１】
2020051730.tif 000023
【手続補正書】
【提出日】令和2年1月30日(2020.1.30)
【手続補正１】
【補正対象書類名】明細書
【補正対象項目名】全文
【補正方法】変更
【補正の内容】
【発明の詳細な説明】
【技術分野】
【０００１】
本開示は、空調システムに関する。
【背景技術】
【０００２】
特許文献１の空気調和装置は、圧縮機、室外熱交換器、室内熱交換器、伝熱管（蓄熱熱交換器）等が接続された冷媒回路を備える。伝熱管は、蓄熱槽の内部に設けられる。冷房蓄熱運転では、室内熱交換器及び伝熱管が蒸発器となり、蓄熱槽内で氷が生成される。ピークカット運転では、室内熱交換器が蒸発器となり、伝熱管が凝縮器（放熱器）となる。つまり、伝熱管で氷へ放熱した後の冷媒が、室内熱交換器の冷房に利用される。
【先行技術文献】
【特許文献】
【０００３】
【特許文献１】特開２００５−２８２９９３号公報
【発明の概要】
【発明が解決しようとする課題】
【０００４】
空調システムでは、システム全体の使用商用電力を抑制する抑制指令に応じて、蓄えた冷熱や温熱を利用しながら冷房や暖房を行う運転に切り換える実行することが考えられる。これにより、システム全体の使用商用電力を抑えつつ冷房や暖房を行うことができる。しかしながら、ある運転から使用商用電力を抑制する運転に切り換える際には、冷凍サイクルが定常状態に至るまでの間に時間がかかるため、使用商用電力を迅速に抑えることができないことがあった。この結果、抑制指令があった直後において、使用商用電力が所定の上限値を越えてしまう可能性があった。
【０００５】
同様に、空調システムでは、システム全体の使用商用電力を促進する促進指令に応じて、冷熱や温熱を蓄えながら冷房や暖房を行う運転を実行することが考えられる。これにより、システム全体の使用商用電力を促進しつつ冷房や暖房を行うことができる。しかしながら、ある運転から使用商用電力を促進する運転に切り換える際には、冷凍サイクルが定常状態に至るまでの間に時間がかかるため、使用商用電力を迅速に促進することができないことがあった。この結果、促進指令があった直後において、使用商用電力が所定の下限値を下回ってしまう可能性があった。
【０００６】
本開示の目的は、使用商用電力に係る指令に迅速に対応できる空調システムを提供することである。
【課題を解決するための手段】
【０００７】
第１の態様は、圧縮機（11）と、室内の空調を行う利用側熱交換器（41）と、蓄熱用熱交換器（21）とが接続され、冷凍サイクルを行う冷媒回路（50）を備え、システム全体の使用商用電力を抑制する抑制指令に応じて、前記蓄熱用熱交換器（21）を熱源としながら前記利用側熱交換器（41）で空調を行う第１運転を実行する空調システムであって、前記第１運転の開始のタイミングに同期して、前記システム全体の使用商用電力を第１値以下に制御する第１制御を行う電力抑制部（5,11,100）を備え、前記電力抑制部は、前記圧縮機（11）と、前記第１制御において、システム全体の使用商用電力が前記第１値以下となるように前記圧縮機（11）を制御する制御装置（5）とを備え、前記制御装置（5）は、前記第１制御において、前記使用商用電力を前記第１値以下としながら前記利用側熱交換器（41）の空調能力を要求能力に近づけるように前記圧縮機（11）を制御することを特徴とする。
【０００８】
第２の態様は、圧縮機（11）と、室内の空調を行う利用側熱交換器（41）と、蓄熱用熱交換器（21）とが接続され、冷凍サイクルを行う冷媒回路（50）を備え、システム全体の使用商用電力を抑制する抑制指令に応じて、前記蓄熱用熱交換器（21）を熱源としながら前記利用側熱交換器（41）で空調を行う第１運転を実行する空調システムであって、前記第１運転の開始のタイミングに同期して、前記システム全体の使用商用電力を第１値以下に制御する第１制御を行う電力抑制部（5,11,100）を備え、前記電力抑制部は、前記圧縮機（11）と、前記第１制御において、システム全体の使用商用電力が前記第１値以下となるように前記圧縮機（11）を制御する制御装置（5）とを備え、前記制御装置（5）は、前記第１運転の開始時に、前記使用商用電力が第２値を上回る場合に前記第１制御を行う一方、該使用商用電力が該第２値以下である場合に、前記使用商用電力によらず前記利用側熱交換器（41）の空調能力を要求能力に近づけるように圧縮機（11）を制御する第２制御を行うことを特徴とする。
【０００９】
第３の態様は、第１又は第２の態様において、前記制御装置（5）は、前記第１制御の開始時に前記圧縮機（11）を停止させることを特徴とする。
【００１０】
第４の態様は、圧縮機（11）と、室内の空調を行う利用側熱交換器（41）と、蓄熱用熱交換器（21）とが接続され、冷凍サイクルを行う冷媒回路（50）を備え、システム全体の使用商用電力を抑制する抑制指令に応じて、前記蓄熱用熱交換器（21）を熱源としながら前記利用側熱交換器（41）で空調を行う第１運転を実行する空調システムであって、前記第１運転の開始のタイミングに同期して、前記システム全体の使用商用電力を第１値以下に制御する第１制御を行う電力抑制部（5,11,100）を備え、前記電力抑制部は、前記圧縮機（11）と、前記第１制御において、システム全体の使用商用電力が前記第１値以下となるように前記圧縮機（11）を制御する制御装置（5）とを備え、前記制御装置（5）は、前記第１制御において、前記利用側熱交換器（41）の空調能力が要求能力に至ると、前記使用商用電力によらず前記利用側熱交換器（41）の空調能力を要求能力に近づけるように圧縮機（11）を制御する第２制御を行うことを特徴とする。
【００１１】
第５の態様は、圧縮機（11）と、室内の空調を行う利用側熱交換器（41）と、蓄熱用熱交換器（21）とが接続され、冷凍サイクルを行う冷媒回路（50）を備え、システム全体の使用商用電力を抑制する抑制指令に応じて、前記蓄熱用熱交換器（21）を熱源としながら前記利用側熱交換器（41）で空調を行う第１運転を実行する空調システムであって、前記第１運転の開始のタイミングに同期して、前記システム全体の使用商用電力を第１値以下に制御する第１制御を行う電力抑制部（5,11,100）と、前記冷媒回路（50）を含む空調ユニット（1A）とを備え、前記電力抑制部は、蓄えた電力を前記空調ユニット（1A）に供給する蓄電装置（100）と、前記第１制御において、システム全体の使用商用電力が前記第１値以下となるように前記蓄電装置（100）の供給電力を制御する制御装置（5）とを備え、前記制御装置（5）は、前記第１制御において、前記使用商用電力によらず前記利用側熱交換器（41）の空調能力を要求能力に近づけるように前記圧縮機（11）を制御することを特徴とする。
【００１２】
第６の態様は、第５の態様において、前記制御装置（5）は、前記第１制御において、前記蓄電装置（100）から前記空調ユニット（1A）に供給される電力がゼロで且つ前記利用側熱交換器（41）の空調能力が要求能力であると、前記蓄電装置（100）を停止させ前記空調ユニット（1A）の運転を継続させることを特徴とする。
【００１３】
第１、第２、第４、第５の態様では、システム全体の使用商用電力を抑制する抑制指令に応じて第１運転が実行されると、この第１運転の開始のタイミングに同期して第１制御が行われる。第１制御では、電力抑制部（5,11,100）により、システム全体の使用商用電力が第１値以下に制御される。これにより、第１運転の開始のタイミングから、抑制指令に迅速に対応できる。
【００１４】
第１、第２、第４の態様の第１制御では、圧縮機（11）を制御することにより、システム全体の使用商用電力が第１値以下に抑えられる。
【００１５】
第１の態様の第１制御では、システム全体の使用商用電力を第１値以下に抑えながら利用側熱交換器（41）の空調能力が要求能力に近づくように圧縮機（11）が制御され、冷凍サイクルが定常状態に近づいていく。
【００１６】
第２の態様では、抑制指令に応じて第１運転が開始された際、使用商用電力が第２値以下であると、第１制御が行われず、第２制御が行われる。第２制御では、使用商用電力を考慮せずに利用側熱交換器（41）の空調能力を要求能力に近づける圧縮機（11）の制御が行われる。
【００１７】
第３の態様では、第１制御が開始された直後には、圧縮機（11）が停止するため、システム全体の使用商用電力を確実に低減できる。その後、第１制御により、利用側熱交換器（41）の空調能力が要求能力に近づくように圧縮機（11）が制御される。
【００１８】
第４の態様では、第１制御において利用側熱交換器（41）の空調能力が要求能力に至ると、使用商用電力を考慮しない第２制御に移行する。
【００１９】
第５の態様の第１制御では、蓄電装置（100）から空調ユニット（1A）への供給電力を制御することにより、システム全体の使用商用電力が第１値以下に抑えられる。
【００２０】
第５の態様の第１制御では、使用商用電力を考慮せず利用側熱交換器（41）の空調能力が要求能力に近づくように圧縮機（11）が制御され、冷凍サイクルが定常状態に近づいていく。この際、蓄電装置（100）は、システム全体の使用商用電力が第１値以下に抑えられるように、空調ユニット（1A）に電力を供給する。
【００２１】
第６の態様では、蓄電装置（100）から空調ユニット（1A）への供給電力がゼロであり、且つ空調能力が要求能力である場合、蓄電装置（100）が停止し、空調ユニット（1A）のみの運転が継続される。
【００２２】
第７の態様は、圧縮機（11）と、室内の空調を行う利用側熱交換器（41）と、蓄熱用熱交換器（21）とが接続され、冷凍サイクルを行う冷媒回路（50）を備え、システム全体の使用商用電力を促進する促進指令に応じて、前記蓄熱用熱交換器（21）で蓄熱を行いながら前記利用側熱交換器（41）で空調を行う第２運転を実行する空調システムであって、前記第２運転の開始のタイミングに同期して、前記システム全体の使用商用電力を第３値以上に制御する第３制御を行う電力促進部（5,11,100）を備え、前記電力促進部は、前記圧縮機（11）と、前記第３制御において、システム全体の使用商用電力が前記第３値以上となるように前記圧縮機（11）を制御する制御装置（5）とを備え、前記制御装置（5）は、前記第３制御において、前記使用商用電力を前記第３値以上としながら前記利用側熱交換器（41）の空調能力を要求能力に近づけるように前記圧縮機（11）を制御することを特徴とする。
【００２３】
第８の態様は、圧縮機（11）と、室内の空調を行う利用側熱交換器（41）と、蓄熱用熱交換器（21）とが接続され、冷凍サイクルを行う冷媒回路（50）を備え、システム全体の使用商用電力を促進する促進指令に応じて、前記蓄熱用熱交換器（21）で蓄熱を行いながら前記利用側熱交換器（41）で空調を行う第２運転を実行する空調システムであって、前記第２運転の開始のタイミングに同期して、前記システム全体の使用商用電力を第３値以上に制御する第３制御を行う電力促進部（5,11,100）を備え、前記電力促進部は、前記圧縮機（11）と、前記第３制御において、システム全体の使用商用電力が前記第３値以上となるように前記圧縮機（11）を制御する制御装置（5）とを備え、前記制御装置（5）は、前記第２運転の開始時に、前記使用商用電力が第４値を下回る場合に前記第３制御を行う一方、該使用商用電力が該第４値以上である場合に、前記使用商用電力によらず前記利用側熱交換器（41）の空調能力を要求能力に近づけるように圧縮機（11）を制御する第４制御を行うことを特徴とする。
【００２４】
第９の態様は、圧縮機（11）と、室内の空調を行う利用側熱交換器（41）と、蓄熱用熱交換器（21）とが接続され、冷凍サイクルを行う冷媒回路（50）を備え、システム全体の使用商用電力を促進する促進指令に応じて、前記蓄熱用熱交換器（21）で蓄熱を行いながら前記利用側熱交換器（41）で空調を行う第２運転を実行する空調システムであって、前記第２運転の開始のタイミングに同期して、前記システム全体の使用商用電力を第３値以上に制御する第３制御を行う電力促進部（5,11,100）を備え、前記電力促進部は、前記圧縮機（11）と、前記第３制御において、システム全体の使用商用電力が前記第３値以上となるように前記圧縮機（11）を制御する制御装置（5）とを備え、前記制御装置（5）は、前記第３制御において、前記利用側熱交換器（41）の空調能力が要求能力に至ると、前記使用商用電力によらず前記利用側熱交換器（41）の空調能力を要求能力に近づけるように圧縮機（11）を制御する第４制御を行うことを特徴とする。
【００２５】
第１０の態様は、圧縮機（11）と、室内の空調を行う利用側熱交換器（41）と、蓄熱用熱交換器（21）とが接続され、冷凍サイクルを行う冷媒回路（50）を備え、システム全体の使用商用電力を促進する促進指令に応じて、前記蓄熱用熱交換器（21）で蓄熱を行いながら前記利用側熱交換器（41）で空調を行う第２運転を実行する空調システムであって、前記第２運転の開始のタイミングに同期して、前記システム全体の使用商用電力を第３値以上に制御する第３制御を行う電力促進部（5,11,100）と、前記冷媒回路（50）を含む空調ユニット（1A）とを備え、前記電力促進部は、蓄えた電力を前記空調ユニット（1A）に供給する蓄電装置（100）と、前記第３制御において、システム全体の使用商用電力が前記第３値以上となるように前記蓄電装置（100）に蓄える商用電力を制御する制御装置（5）とを備えていることを特徴とする。
【００２６】
第１１の態様は、第１０の態様において、前記制御装置（5）は、前記第３制御において、前記使用商用電力によらず前記利用側熱交換器（41）の空調能力を要求能力に近づけるように前記圧縮機（11）を制御することを特徴とする。
【００２７】
第１２の態様は、第１１の態様において、前記制御装置（5）は、前記第３制御において、前記蓄電装置（100）に供給される商用電力がゼロで且つ前記利用側熱交換器（41）の空調能力が要求能力であると、前記蓄電装置（100）を停止させ前記空調ユニット（1A）の運転を継続させることを特徴とする。
【００２８】
第７、８、９、１０の態様では、システム全体の使用商用電力を促進する促進指令に応じて第２運転が実行されると、この第２運転の開始のタイミングに同期して第３制御が行われる。第３制御では、電力促進部（5,11,100）により、システム全体の使用商用電力が第３値以上に制御される。これにより、第２運転の開始のタイミングから、促進指令に迅速に対応できる。
【００２９】
第７、８、９の態様の第３制御では、圧縮機（11）を制御することにより、システム全体の使用商用電力が第３値以上に促進される。
【００３０】
第７の態様の第３制御では、システム全体の使用商用電力を第３値以上に促進させながら利用側熱交換器（41）の空調能力が要求能力に近づくように圧縮機（11）が制御され、冷凍サイクルが定常状態に近づいていく。
【００３１】
第８の態様では、促進指令に応じて第２運転が開始された際、使用商用電力が第３値以上であると、第３制御が行われず、第４制御が行われる。第４制御では、使用商用電力を考慮せずに利用側熱交換器（41）の空調能力を要求能力に近づける圧縮機（11）の制御が行われる。
【００３２】
第９の態様では、第３制御において利用側熱交換器（41）の空調能力が要求能力に至ると、使用商用電力を考慮しない第４制御に移行する。
【００３３】
第１０の態様では、蓄電装置（100）に蓄電される商用電力を制御することにより、システム全体の使用商用電力が第３値以上に促進される。
【００３４】
第１１の態様の第３制御では、使用商用電力を考慮せず利用側熱交換器（41）の空調能力が要求能力に近づくように圧縮機（11）が制御され、冷凍サイクルが定常状態に近づいていく。
【００３５】
第１２の態様では、第３制御において、商用電源から蓄電装置（100）に供給される商用電力がゼロであり、且つ空調能力が要求能力である場合、蓄電装置（100）が停止し、空調ユニット（1A）のみの運転が継続される。
【図面の簡単な説明】
【００３６】
【図１】図１は、実施形態１に係る空調システムの配管系統図である。
【図２】図２は、実施形態１に係る空調システムの配管系統図において、冷房運転の冷媒の流れを表したものである。
【図３】図３は、実施形態１に係る空調システムの配管系統図において、冷房ピークシフト運転の冷媒の流れを表したものである。
【図４】図４は、実施形態１に係る空調システムの配管系統図において、冷房ピークカット運転の冷媒の流れを表したものである。
【図５】図５は、実施形態１に係る空調システムの配管系統図において、冷房/冷蓄熱運転の冷媒の流れを表したものである。
【図６】図６は、実施形態１に係る空調システムの配管系統図において、冷蓄熱運転の冷媒の流れを表したものである。
【図７】図７は、実施形態１に係る空調システムの配管系統図において、暖房運転の冷媒の流れを表したものである。
【図８】図８は、実施形態１に係る空調システムの配管系統図において、暖房ピークカット運転の冷媒の流れを表したものである。
【図９】図９は、実施形態１に係る空調システムの配管系統図において、暖房/温蓄熱運転の冷媒の流れを表したものである。
【図１０】図１０は、実施形態１に係る空調システムの配管系統図において、温蓄熱運転の冷媒の流れを表したものである。
【図１１】図１１は、各運転の冷凍サイクルを対比したモリエル線図である。
【図１２】図１２は、実施形態１に係る空調ユニット、コントローラ、及び商用電源の関係を示した概略の構成図である。
【図１３】図１３は、実施形態１の第１運転に係る空調能力、及び使用商用電力の変化を模式的に示すタイムチャートである。
【図１４】図１４は、実施形態１の第１運転に係るフローチャートである。
【図１５】図１５は、実施形態１の第２運転に係る空調能力、及び使用商用電力の変化を模式的に示すタイムチャートである。
【図１６】図１６は、実施形態１の第２運転に係るフローチャートである。
【図１７】図１７は、実施形態２に係る空調ユニット、コントローラ、及び商用電源の関係を示した概略の構成図である。
【図１８】図１８は、実施形態２の第１運転に係る空調能力、及び使用商用電力の変化を模式的に示すタイムチャートである。
【図１９】図１９は、実施形態２の第１運転に係るフローチャートである。
【図２０】図２０は、実施形態２の第２運転に係る空調能力、及び使用商用電力の変化を模式的に示すタイムチャートである。
【図２１】図２１は、実施形態２の第２運転に係るフローチャートである。
【発明を実施するための形態】
【００３７】
以下、本開示の実施形態について図面を参照しながら説明する。なお、以下の実施形態は、本質的に好ましい例示であって、本発明、その適用物、あるいはその用途の範囲を制限することを意図するものではない。
【００３８】
《実施形態１》
実施形態１は、蓄熱媒体に熱（冷熱及び温熱）を蓄えるとともに、蓄えた熱を空調に利用する蓄熱式の空調システムである。実施形態１の空調システム（1）は、室外ユニット（10）（熱源側ユニット）と、蓄熱ユニット（20）と、複数の流路切換ユニット（30）と、複数の室内ユニット（40）（利用側ユニット）とを備え、これらを冷媒配管で接続することにより構成された冷媒回路（50）を備える。複数の室内ユニット（40）及び流路切換ユニット（30）は、室外ユニット（10）及び蓄熱ユニット（20）に対して並列に接続される。蓄熱ユニット（20）と各室内ユニット（40）の間には、流路切換ユニット（30）が接続される。空調システム（1）は、冷房運転と暖房運転が混在する運転が可能に構成され、運転を制御するコントローラ（5）を備える。なお、図１等においては、２台の室内ユニット（40）を図示し、これらと並列に接続される室内ユニットの図示は省略している。
【００３９】
室外ユニット（10）と蓄熱ユニット（20）は、室外側第１ガス連絡管（51）と室外側第２ガス連絡管（52）と室外側液連絡管（53）で接続される。蓄熱ユニット（20）と流路切換ユニット（30）とは、中間部第１ガス連絡管（54）と中間部第２ガス連絡管（55）と中間部液連絡管（56）とで接続される。蓄熱ユニット（20）と室内ユニット（40）とは、室内側ガス連絡管（57）と室内側液連絡管（58）とで接続される。
【００４０】
〈室外ユニット〉
室外ユニット（10）には、圧縮機（11）、室外熱交換器（12）、レシーバ（13）、アキュムレータ（14）、第１四路切換弁（15）、第２四路切換弁（16）、第３四路切換弁（17）、及びブリッジ回路（18）が設けられる。圧縮機（11）の吐出配管（11a）は、吐出側第１分岐管（61）と吐出側第２分岐管（62）と吐出側第３分岐管（63）に分岐する。吐出側第１分岐管（61）は、第１四路切換弁（15）の第１ポートに接続され、吐出側第２分岐管（62）は、第２四路切換弁（16）の第１ポートに接続される。吐出側第３分岐管（63）は、第３四路切換弁（17）の第１ポートに接続される。
【００４１】
室外熱交換器（12）は、第１室外熱交換器（12a）と第２室外熱交換器（12b）とを含んでいる。第１室外熱交換器（12a）のガス側端は第１四路切換弁（15）の第２ポートに接続され、第２室外熱交換器（12b）のガス側端は第２四路切換弁（16）の第２ポートに接続される。第１四路切換弁（15）の第３ポートには吸入側第１分岐管（64）が、第２四路切換弁（16）の第３ポートには吸入側第２分岐管（65）が、第３四路切換弁（17）の第３ポートには吸入側第３分岐管（66）が、それぞれ接続される。吸入側第１分岐管（64）と吸入側第３分岐管（66）は室外低圧管（67）の一端に接続される。圧縮機（11）の吸入配管（11b）はアキュムレータ（14）のガス流出ポート（14a）に接続され、アキュムレータ（14）の第１ガス流入ポート（14b）には室外側第１ガス管（68）の一端が接続される。室外低圧管（67）の他端は、室外側第１ガス連絡管（51）に合流する。室外側第１ガス管（68）の他端は、室外側第１ガス連絡管（51）に接続される。
【００４２】
第３四路切換弁（17）の第２ポートには室外側第２ガス管（69）の一端が接続される。室外側第２ガス管（69）の他端は室外側第２ガス連絡管（52）に接続される。
【００４３】
第１四路切換弁（15）の第４ポート、第２四路切換弁（16）の第４ポート、及び第３四路切換弁（17）の第４ポートは、それぞれ、閉鎖された閉鎖ポートである。第１四路切換弁（15）、第２四路切換弁（16）、及び第３四路切換弁（17）は、第１ポートと第２ポートが連通するとともに第３ポートと第４ポートが連通する第１状態（図１の実線の連通状態）と、第１ポートと第４ポートが連通するとともに第２ポートと第３ポートが連通する第２状態（図１の破線の連通状態）とに切換可能に構成される。図１において、第１四路切換弁（15）と第２四路切換弁（16）は第１状態を示し、第３四路切換弁（17）は第２状態を示している。
【００４４】
第１室外熱交換器（12a）の液側端は室外側液第１分岐管（71）に接続され、第２室外熱交換器（12b）の液側端は室外側液第２分岐管（72）に接続される。室外側液第１分岐管（71）には室外側第１膨張弁（73）（膨張機構）が接続され、室外側液第２分岐管（72）には室外側第２膨張弁（74）(膨張機構）が接続される。室外側液第１分岐管（71）と室外側液第２分岐管（72）は合流し、室外側液管（75）に接続される。室外側液管（75）は、ブリッジ回路（18）を介して室外側液連絡管（53）に接続される。
【００４５】
室外側液管（75）には、ブリッジ回路（18）を介して、液冷媒を貯留可能な上記レシーバ（13）が接続される。ブリッジ回路（18）は、第１接続点（18a）、第２接続点（18b）、第３接続点（18c）、及び第４接続点（18d）を有し、これらの接続点が配管接続された閉回路である。第１接続点（18a）と第２接続点（18b）との間には、第１接続点（18a）から第２接続点（18b）へ向かう方向への冷媒の流れを許容し、逆方向の冷媒の流れを禁止する第１逆止弁（19a）が設けられる。第３接続点（18c）と第２接続点（18b）との間には、第３接続点（18c）から第２接続点（18b）へ向かう方向への冷媒の流れを許容し、逆方向の冷媒の流れを禁止する第２逆止弁（19b）が設けられる。第４接続点（18d）と第３接続点（18c）との間には、第４接続点（18d）から第３接続点（18c）へ向かう方向への冷媒の流れを許容し、逆方向の冷媒の流れを禁止する第３逆止弁（19c）が設けられる。第４接続点（18d）と第１接続点（18a）との間には、第４接続点（18d）から第１接続点（18a）へ向かう方向への冷媒の流れを許容し、逆方向の冷媒の流れを禁止する第４逆止弁（19d）が設けられる。
【００４６】
ブリッジ回路（18）の第２接続点（18b）とレシーバ（13）の液流入ポート（13a）とは、室外流量調整弁（76）を有する液流入管（77）で接続される。レシーバ（13）の液流出ポート（13b）とブリッジ回路（18）の第４接続点（18d）とは、液流出管（79）で接続される。液流出管（79）には、レシーバ（13）から第４接続点（18d）へ向かう冷媒の流れを許容し、逆方向への冷媒の流れを禁止する室外逆止弁（78）が設けられる。レシーバ（13）のガス流出ポート（13c）は、開度調整可能なガス抜き弁（80）が設けられたガス抜き管（81）の一端が接続される。ガス抜き管（81）の他端はアキュムレータ（14）の第２ガス流入ポート（14c）に接続される。
【００４７】
〈蓄熱ユニット〉
蓄熱ユニット（20）は、蓄熱用熱交換器（21）と第４四路切換弁（22）と流量調整機構（23）とを有する。蓄熱用熱交換器（21）は、蓄熱媒体として例えば水が貯留された蓄熱槽（21a）と、蓄熱槽（21a）の中に設けられた複数パス（図示せず）の伝熱管（21b）とを有する。蓄熱用熱交換器（21）は、冷房時に蒸発器になるときには蓄熱槽（21a）の中の伝熱管（21b）の周りに低温冷媒で氷を生成し、逆に放熱器になるときには冷媒が氷に放熱する構成の、いわゆるスタティック型の蓄熱用熱交換器（21）である。蓄熱用熱交換器（21）は、暖房時に放熱器になるときには水を加熱して温水を生成し、蒸発器になるときには冷媒が温水から吸熱する。
【００４８】
蓄熱ユニット（20）は、蓄熱側第１ガス管（85）と、蓄熱側第２ガス管（86）と、蓄熱側液管（87）とを有する。蓄熱側第１ガス管（85）は、室外側第１ガス連絡管（51）と中間部第１ガス連絡管（54）とに接続される。蓄熱側第１ガス管（85）は、室外側第１ガス連絡管（51）と中間部第１ガス連絡管（54）とに接続される。蓄熱側第２ガス管（86）は、室外側第２ガス連絡管（52）と中間部第２ガス連絡管（55）とに接続される。蓄熱側液管（87）は、室外側液連絡管（53）と中間部液連絡管（56）とに接続される。
【００４９】
第４四路切換弁（22）の第１ポートは第１接続管（88）を介して蓄熱側第１ガス管（85）に接続される。第４四路切換弁（22）の第２ポートには第２接続管（89）の一端が接続され、第２接続管（89）の他端は蓄熱側液管（87）に接続される。第２接続管（89）には、電動弁で構成された蓄熱側第１流量調整弁（90）と、蓄熱側第１開閉弁（91）（電磁弁）と、蓄熱側液管（87）へ向かう方向の冷媒流れのみを許容する蓄熱側第１逆止弁（92）とが直列で配置される。第２接続管（89）には、蓄熱側第１流量調整弁（90）と蓄熱側第１開閉弁（91）との間に接続された蓄熱側第１分岐管（93）が蓄熱用熱交換器（21）の伝熱管（21b）のガス側端に接続される。第４四路切換弁（22）の第３ポートは第３接続管（94）を介して蓄熱側第２ガス管（86）に接続される。第４四路切換弁（22）の第４ポートは閉鎖された閉鎖ポートである。
【００５０】
第４四路切換弁（22）は、第１ポートと第２ポートが連通するとともに第３ポートと第４ポートが連通する第１状態（図１の実線の状態）と、第１ポートと第４ポートが連通するとともに第２ポートと第３ポートが連通する第２状態（図１の破線の状態）とに切換可能に構成される。
【００５１】
蓄熱側液管（87）には蓄熱側第２開閉弁（95）が設けられる。蓄熱側第２開閉弁（95）は、室外側液管（75）から中間部液連絡管（56）へ向かう冷媒の流れのみを許容するように構成される。蓄熱側液管（87）には、蓄熱側第２開閉弁（95）をバイパスする第１バイパス通路（96）が接続される。この第１バイパス通路（96）には、中間部液連絡管（56）から室外側液管（75）へ向かう冷媒の流れを許容し、逆方向への冷媒の流れを禁止する蓄熱側第２逆止弁（97）が設けられる。
【００５２】
蓄熱用熱交換器（21）の液側端は、蓄熱側第２分岐管（98）を介して蓄熱側液管（87）に、室外側液管（75）と蓄熱側第２開閉弁（95）との間で接続される。蓄熱側第２分岐管（98）には上記流量調整機構（23）が接続される。流量調整機構（23）は、蓄熱側第２分岐管（98）に設けられた蓄熱側流量調整弁（99a）（開度調整弁）と、蓄熱側流量調整弁（99a）（開度調整弁）をバイパスする第２バイパス通路（98a）に設けられた蓄熱側第３開閉弁（99b）（電磁弁）とを有する。
【００５３】
〈流路切換ユニット〉
流路切換ユニット（30）は、ガス側接続管（31）と液側接続管（32）とを有する。ガス側接続管（31）は、ガス側主管（33）と切換部第１分岐管（33a）と切換部第２分岐管（33b）とを備え、切換部第１分岐管（33a）に第１流路切換弁（34a）が、切換部第２分岐管（33b）に第２流路切換弁（34b）が設けられる。ガス側主管（33）は、一端が室内側ガス連絡管（57）に、他端が切換部第１分岐管（33a）及び切換部第２分岐管（33b）の一端にそれぞれ接続される。切換部第１分岐管（33a）の他端は上記中間部第１ガス連絡管（54）に接続され、切換部第２分岐管（33b）の他端は中間部第２ガス連絡管（55）に接続される。
【００５４】
第１流路切換弁（34a）及び第２流路切換弁（34b）は、各流路切換ユニット（30）において冷媒流れを許容または遮断する制御弁である。各流路切換弁（34a，34b）は、モータ駆動により開度を調整可能に構成された電動調整弁で構成され、冷媒回路（50）における室内の冷媒の流路が電気制御で切り換えられる。これらの電動調整弁の開閉状態を切り換えることによって冷媒の流れを制御し、各室内ユニット（40）において冷房運転と暖房運転が個別に切り換えられる。なお、各流路切換弁（34a，34b）には、電動調整弁の代わりに電磁開閉弁を用いてもよい。
【００５５】
液側接続管（32）は液側主管（35）を備え、液側主管（35）には過冷却熱交換器（36）が接続される。液側主管（35）には、中間部液連絡管（56）と過冷却熱交換器（36）との間に過冷却配管（37）の一端が接続される。過冷却配管（37）は、過冷却熱交換器（36）の中を通過し、他端が切換部第１分岐管（33a）における第１流路切換弁（34a）と中間部第１ガス連絡管（54）との間に接続される。過冷却配管（37）には、液側主管（35）と過冷却熱交換器（36）との間に流量調整弁（38）が設けられる。流量調整弁の開度を調整することによって、過冷却回路へ流れ込む冷媒の量が調整される。
【００５６】
〈室内ユニット〉
室内ユニット（40）は、それぞれ、室内熱交換器（41）（利用側熱交換器）と室内膨張弁（42）とを有する。室内膨張弁（42）は、開度調整可能な電子膨張弁により構成される。この室内ユニット（40）では、室内熱交換器（41）のガス側端が流路切換ユニット（30）に室内側ガス連絡管（57）で接続され、室内膨張弁（42）が流路切換ユニット（30）に室内側液連絡管（58）で接続される。
【００５７】
〈コントローラの概略構成〉
コントローラ（5）は、制御基板上に搭載されたマイクロコンピュータと、該マイクロコンピュータを動作させるためのソフトウエアを格納するメモリディバイス（具体的には半導体メモリ）とを含む。コントローラ（5）は、運転指令やセンサの検出信号に基づいて、空調システム（1）の各機器を制御する。コントローラ（5）による各機器の制御により、空調システム（1）の運転が切り換えられる。
【００５８】
図では１台のコントローラ（5）が各ユニットと冷媒切換器に接続された構成を示しているが、設置条件に応じてコントローラ（5）を複数に分け、各コントローラ（5）が連動した制御を行うように構成してもよい。
【００５９】
−運転動作−
実施形態の空調システム（1）は、冷房運転、冷房ピークシフト運転（冷房過冷却運転）、冷房ピークカット運転、冷房／冷蓄熱運転、冷蓄熱運転、暖房運転、暖房ピークカット運転、暖房／温蓄熱運転、及び温蓄熱運転を切り換えて行う。この空調システム（1）では、流路切換ユニット（30）の冷媒流れ方向の設定を切り換えることにより、複数の室内ユニット（40）において冷房運転と暖房運転が混在する運転が可能であるが、その動作の説明は省略する。
【００６０】
以下、各運転における冷媒回路（50）の動作を説明する。
【００６１】
〈冷房運転〉
図２に示す冷房運転は、蓄熱用熱交換器（21）を用いずに、室外熱交換器（12）が放熱器になり、室内熱交換器（41）が蒸発器になる状態で、冷媒が冷媒回路（50）を循環する運転である。
【００６２】
この冷房運転時、室外ユニット（10）では、第１四路切換弁（15）及び第２四路切換弁（16）は第１状態に設定される。図２の状態で室外側第１膨張弁（73）及び室外側第２膨張弁（74）はいずれも全開に設定されるが、室外熱交換器（12）を１台のみで運転する場合は、室外側第１膨張弁（73）及び室外側第２膨張弁（74）の一方が閉鎖される（以下の各運転でも同様）。室外流量調整弁（76）は全開に設定される。
【００６３】
蓄熱ユニット（20）では、蓄熱側第２開閉弁（95）は開放され、蓄熱側流量調整弁（99a）と蓄熱側第３開閉弁（99b）は閉鎖される。
【００６４】
流路切換ユニット（30）では、各室内ユニット（40）で冷房運転を行うとすると、第１流路切換弁（34a）を開放し、第２流路切換弁（34b）を閉鎖し、流量調整弁が所定開度に制御される。室内ユニット（40）では、室内膨張弁（42）が所定開度に制御される。
【００６５】
なお、図示していないが、冷房運転を行う室内ユニット（40）と暖房運転を行う室内ユニット（40）が混在する場合は、室外ユニット（10）の第３四路切換弁（17）を第２状態に切り換えるとともに、暖房運転を行う室内ユニット（40）の室内膨張弁（42）を全開にし、第１流路切換弁（34a）を閉鎖し、第２流路切換弁（34b）を開放する。
【００６６】
図２の冷房運転時は、圧縮機（11）から吐出された冷媒が第１室外熱交換器（12a）及び第２室外熱交換器（12b）で放熱し、凝縮ないし冷却された冷媒がレシーバ（13）に流入する。レシーバ（13）から流出した冷媒は、蓄熱ユニット（20）の蓄熱側液管（87）を通過した後、流路切換ユニット（30）で過冷却されて室内ユニット（40）へ流入する。
【００６７】
室内ユニット（40）では、冷媒が室内膨張弁（42）で減圧され、室内熱交換器（41）で室内空気から吸熱して蒸発する。このとき、室内空気が冷却され、室内が冷房される。室内ユニット（40）から流出した冷媒は、流路切換ユニット（30）のガス側接続管（31）と蓄熱ユニット（20）の蓄熱側第１ガス管（85）を通り、室外ユニット（10）に戻る。冷媒は、室外ユニット（10）の室外側第１ガス管（68）からアキュムレータ（14）に流入した後、圧縮機（11）に吸入される。
【００６８】
冷房運転時は、冷媒回路（50）において以上の動作が連続する冷凍サイクルが行われる。図１１に、通常運転と示した冷凍サイクルのＰ−ｈ線図を示している。この状態では、以下に説明する冷房ピークカット運転や冷房ピークシフト運転よりも冷媒の高低圧力差が大きく、エンタルピ差は小さい。
【００６９】
〈冷房ピークシフト運転〉
図３に示す冷房ピークシフト運転は、蓄熱槽（21a）の中に氷が生成されている蓄熱用熱交換器（21）を過冷却熱交換器（36）として用い、室外熱交換器（12）が放熱器になり、室内熱交換器（41）が蒸発器になる状態で、冷媒が冷媒回路（50）を循環する運転である。
【００７０】
この冷房ピークシフト運転時、室外ユニット（10）、流路切換ユニット（30）、及び室内ユニット（40）の各弁の制御は冷房運転時と同じである。蓄熱ユニット（20）では、蓄熱側第２開閉弁（95）が閉鎖され、蓄熱側流量調整弁（99a）と蓄熱側第３開閉弁（99b）が開放される。なお、蓄熱側第３開閉弁（99b）を開放し、蓄熱側流量調整弁（99a）を閉鎖してもよい。蓄熱側第１流量調整弁（90）は閉鎖され、蓄熱側第１開閉弁（91）は開放される。
【００７１】
冷房ピークシフト運転時は、圧縮機（11）から吐出された冷媒が第１室外熱交換器（12a）及び第２室外熱交換器（12b）で放熱し、凝縮ないし冷却された冷媒がレシーバ（13）に流入する。レシーバ（13）から流出した冷媒は、蓄熱ユニット（20）の蓄熱側液管（87）から蓄熱側第２分岐管（98）へ分流し、蓄熱用熱交換器（21）へ流入して過冷却される。
【００７２】
過冷却された冷媒は、各流路切換ユニット（30）を通って各室内ユニット（40）へ流入し、室内膨張弁（42）で減圧された後に室内熱交換器（41）で蒸発し、そのときに室内空気を冷却して室内を冷房する。室内熱交換器（41）で蒸発した冷媒は、流路切換ユニット（30）のガス側接続管（31）及び蓄熱ユニット（20）の蓄熱側第１ガス管（85）を通って室外ユニット（10）に戻る。室外ユニット（10）に戻った冷媒は、アキュムレータ（14）を介して圧縮機（11）に吸入される。
【００７３】
冷房ピークシフト運転時は、冷媒回路（50）において以上の動作が連続する冷凍サイクルが行われる。図１１に冷房ピークシフト運転のＰ−ｈ線図を示すように、この状態では、上記冷房運転よりも、冷媒の高低圧力差が小さく、蓄熱用熱交換器（21）で冷媒を過冷却しているのでエンタルピ差は大きい。高低圧力差が小さいために圧縮機（11）の入力が少なくて済み、通常の冷房運転時と比べて消費電力が抑えられるとともにＣＯＰ（成績係数）が高くなる。
【００７４】
〈冷房ピークカット運転〉
図４に示す冷房ピークカット運転は、蓄熱槽（21a）の中に氷が生成されている蓄熱用熱交換器（21）が放熱器になり、室内熱交換器（41）が蒸発器になる状態で、冷媒が冷媒回路（50）を循環する運転である。この運転では室外熱交換器（12）は用いない。
【００７５】
この冷房ピークカット運転時、室外ユニット（10）では、第１四路切換弁（15）と第２四路切換弁（16）が第２状態に設定され，第３四路切換弁（17）が第１状態に設定される。室外側第１膨張弁（73）及び室外側第２膨張弁（74）は閉鎖される。
【００７６】
蓄熱ユニット（20）では、第４四路切換弁（22）が第２状態に設定され、蓄熱側第１流量調整弁（90）が開放され、蓄熱側第１開閉弁（91）が閉鎖される。蓄熱側第２開閉弁（95）と蓄熱側第３開閉弁（99b）は開放され、蓄熱側流量調整弁（99a）は閉鎖される。流路切換ユニット（30）と室内ユニット（40）の弁の制御は冷房運転や冷房ピークシフト運転と同じである。
【００７７】
冷房ピークカット運転時は、圧縮機（11）から吐出された冷媒が第１室外熱交換器（12a）及び第２室外熱交換器（12b）へは流れずに、第３四路切換弁（17）と第４四路切換弁（22）を通って蓄熱用熱交換器（21）へ流入して放熱する。蓄熱用熱交換器（21）で凝縮ないし冷却された冷媒は、蓄熱側第３開閉弁（99b）と蓄熱側第２開閉弁（95）を通って蓄熱ユニット（20）から流出し、各流路切換ユニット（30）を通って各室内ユニット（40）へ流入する。
【００７８】
冷媒は、室内膨張弁（42）で減圧された後に室内熱交換器（41）で蒸発し、そのときに室内空気を冷却して室内を冷房する。室内熱交換器（41）で蒸発した冷媒は、流路切換ユニット（30）のガス側接続管（31）及び蓄熱ユニット（20）の蓄熱側第１ガス管（85）を通って室外ユニット（10）に戻る。室外ユニット（10）に戻った冷媒は、アキュムレータ（14）を介して圧縮機（11）に吸入される。
【００７９】
図１１に冷房ピークカット運転のＰ−ｈ線図を示すように、この状態では、上記冷房運転よりも、冷媒の高低圧力差が非常に小さく、エンタルピ差が大きい。このように、冷房ピークカット運転では高圧圧力が極端に低い冷凍サイクルが行われ、高低圧力差が小さいために圧縮機（11）の入力が少なくて済み、通常の冷房運転時やピークシフト運転時と比べて消費電力が抑えられるとともにＣＯＰ（成績係数）が高くなる。
【００８０】
〈冷房／冷蓄熱運転〉
図５に示す冷房／冷蓄熱運転は、図２の冷房運転を行いながら、蓄熱用熱交換器（21）を蒸発器にして蓄熱槽（21a）の水を冷却し、冷蓄熱をする運転である。
【００８１】
この冷房／冷蓄熱運転は、蓄熱ユニット（20）において、蓄熱側流量調整弁（99a）の開度が適宜調整されるとともに蓄熱側第３開閉弁（99b）が閉鎖され、蓄熱側第１流量調整弁（90）が開放されるとともに蓄熱側第１開閉弁（91）が閉鎖される点を除いては、各弁の状態は図２の冷房運転と同じである。
【００８２】
冷房／冷蓄熱運転時は、圧縮機（11）から吐出された冷媒が第１室外熱交換器（12a）及び第２室外熱交換器（12b）で放熱し、凝縮ないし冷却された冷媒がレシーバ（13）に流入する。レシーバ（13）から流出した冷媒は、蓄熱ユニット（20）の蓄熱側液管（87）を通過した後、流路切換ユニット（30）で過冷却されて室内ユニット（40）へ流入する。
【００８３】
室内ユニット（40）では、冷媒が室内膨張弁（42）で減圧され、室内熱交換器（41）で室内空気から吸熱して蒸発する。このとき、室内空気が冷却され、室内が冷房される。室内ユニット（40）から流出した冷媒は、流路切換ユニット（30）のガス側接続管（31）と蓄熱ユニット（20）の蓄熱側第１ガス管（85）を流れる。
【００８４】
一方、蓄熱側液管（87）を流れる冷媒の一部は蓄熱側第２分岐管（98）に分流し、蓄熱側流量調整弁（99a）で減圧されて蓄熱用熱交換器（21）へ流入し、蒸発する。蒸発した冷媒は、第２接続管（89）及び第１接続管（88）を通って蓄熱側第１ガス管（85）の冷媒と合流する。
【００８５】
蓄熱側第１ガス管（85）を流れる冷媒は、室外側第１ガス連絡管（51）を通って室外ユニット（10）に戻る。冷媒は、室外ユニット（10）の室外側第１ガス管（68）からアキュムレータ（14）に流入した後、圧縮機（11）に吸入される。
【００８６】
〈冷蓄熱運転〉
図６に示す冷蓄熱運転は、室外熱交換器（12）を放熱器にし、蓄熱用熱交換器（21）を蒸発器にして蓄熱槽（21a）の水を冷却し、冷蓄熱をする運転である。
【００８７】
この冷蓄熱運転は、室外ユニット（10）の弁の制御は図５の冷房／冷蓄熱運転と同じである。蓄熱ユニット（20）では、蓄熱側第２開閉弁（95）が閉鎖され、冷媒が各流路切換ユニット（30）と各室内ユニット（40）へ流れないようにしている点を除いては、弁の制御は冷房／冷蓄熱運転と同じでよい。
【００８８】
冷蓄熱運転時は、圧縮機（11）から吐出された冷媒が第１室外熱交換器（12a）及び第２室外熱交換器（12b）で放熱し、凝縮ないし冷却された冷媒がレシーバ（13）に流入する。レシーバ（13）から流出した冷媒は蓄熱側第２分岐管（98）に流入し、蓄熱側流量調整弁（99a）で減圧されて蓄熱用熱交換器（21）で蒸発する。
【００８９】
蒸発した冷媒は、第２接続管（89）及び第１接続管（88）を通って蓄熱側第１ガス管（85）へ流入する。蓄熱側第１ガス管（85）を流れる冷媒は、室外側第１ガス連絡管（51）を通って室外ユニット（10）に戻る。冷媒は、室外ユニット（10）の室外側第１ガス管（68）からアキュムレータ（14）に流入した後、圧縮機（11）に吸入される。
【００９０】
〈暖房運転〉
図７に示す暖房運転は、蓄熱用熱交換器（21）を用いずに、室内熱交換器（41）が放熱器になり、室外熱交換器（12）が蒸発器になる状態で、冷媒が冷媒回路（50）を循環する運転である。
【００９１】
この暖房運転時、室外ユニット（10）では、第１四路切換弁（15）及び第２四路切換弁（16）は第２状態に設定される。室外側第１膨張弁（73）及び室外側第２膨張弁（74）はいずれも所定開度に制御されるが、室外熱交換器（12）を１台のみで運転する場合は、室外側第１膨張弁（73）及び室外側第２膨張弁（74）の一方が閉鎖される（以下の各運転でも同様）。室外流量調整弁（76）は全開に設定される。
【００９２】
蓄熱ユニット（20）では、蓄熱側第２開閉弁（95）は閉鎖され、蓄熱側流量調整弁（99a）と蓄熱側第３開閉弁（99b）は閉鎖される。
【００９３】
流路切換ユニット（30）では、各室内ユニット（40）で暖房運転を行うとすると、第１流路切換弁（34a）が閉鎖され、第２流路切換弁（34b）が開放され、流量調整弁が閉鎖される。室内ユニット（40）では、室内膨張弁（42）が全開に制御される。
【００９４】
暖房運転時は、圧縮機（11）から吐出された冷媒が第３四路切換弁（17）から蓄熱ユニット（20）の蓄熱側第２ガス管（86）を通り、さらに流路切換ユニット（30）のガス側接続管（31）を通って室内ユニット（40）へ流入する。冷媒は室内熱交換器（41）で放熱し、凝縮ないし冷却された冷媒が室内ユニット（40）から流出して流路切換ユニット（30）の液側接続管（32）を流れ、中間部液連絡管（56）から蓄熱ユニット（20）へ流入する。冷媒は、蓄熱ユニット（20）の蓄熱側液管（87）から第１バイパス通路（96）を通り、室外側液連絡管（53）から室外ユニット（10）へ戻る。
【００９５】
冷媒は、液流入管（77）を通ってレシーバ（13）へ流入した後、液流出管（79）へ流出する。冷媒は、ブリッジ回路（18）を通って室外側第１膨張弁（73）及び室外側第２膨張弁（74）で減圧された後、第１室外熱交換器（12a）及び第２室外熱交換器（12b）で蒸発する。蒸発した冷媒は、室外低圧管（67）を通ってアキュムレータ（14）へ流入した後、圧縮機（11）に吸入される。
【００９６】
〈暖房ピークカット運転〉
図８に示す暖房ピークカット運転は、室外熱交換器（12）を用いずに、室内熱交換器（41）が放熱器になり、蓄熱用熱交換器（21）が蒸発器になる状態で、冷媒が冷媒回路（50）を循環する運転である。
【００９７】
この暖房ピークカット運転時、室外ユニット（10）では、第１四路切換弁（15）及び第２四路切換弁（16）は第２状態に設定され、第３四路切換弁（17）は第１状態に設定される。室外側第１膨張弁（73）及び室外側第２膨張弁（74）は、いずれも閉鎖される。
【００９８】
蓄熱ユニット（20）では、蓄熱側第２開閉弁（95）は開放され、蓄熱側流量調整弁（99a）は所定開度に制御され、蓄熱側第３開閉弁（99b）は閉鎖される。流路切換ユニット（30）及び室内ユニット（40）では、弁の制御は暖房運転時と同じである。
【００９９】
暖房ピークカット運転時は、圧縮機（11）から吐出された冷媒が第３四路切換弁（17）から蓄熱ユニット（20）の蓄熱側第２ガス管（86）を通り、さらに流路切換ユニット（30）のガス側接続管（31）を通って室内ユニット（40）へ流入する。冷媒は室内熱交換器（41）で放熱し、凝縮ないし冷却された冷媒が室内ユニット（40）から流出して流路切換ユニット（30）の液側接続管（32）を流れ、中間部液連絡管（56）から蓄熱ユニット（20）へ流入する。
【０１００】
冷媒は、蓄熱ユニット（20）の蓄熱側液管（87）から第１バイパス通路（96）を通り、さらに蓄熱側第２分岐管（98）を通って蓄熱側流量調整弁（99a）で減圧され、蓄熱熱交換器において蓄熱槽（21a）の中に貯留されている水から吸熱して蒸発する。
【０１０１】
蒸発した冷媒は、第２接続管（89）及び第１接続管（88）を通って蓄熱側第１ガス管（85）へ流入する。蓄熱側第１ガス管（85）を流れる冷媒は、室外側第１ガス連絡管（51）を通って室外ユニット（10）に戻る。冷媒は、室外ユニット（10）の室外側第１ガス管（68）からアキュムレータ（14）に流入した後、圧縮機（11）に吸入される。
【０１０２】
〈暖房／温蓄熱運転〉
図９に示す暖房／温蓄熱運転は、室内熱交換器（41）が放熱器になり、室外熱交換器（12）が蒸発器になる状態で、冷媒が冷媒回路（50）を循環する暖房運転を行いながら、蓄熱熱交換器において蓄熱槽（21a）の水を加熱し、温熱を蓄える運転である。
【０１０３】
この暖房／温蓄熱運転時、室外ユニット（10）では、弁は図７の暖房運転と同様に制御される。蓄熱ユニット（20）では、蓄熱側第１流量調整弁（90）は全開に制御され、蓄熱側第１開閉弁（91）は閉鎖される。蓄熱側第２開閉弁（95）及び蓄熱側第３開閉弁（99b）は閉鎖され、蓄熱側流量調整弁（99a）が所定開度に制御される。流路切換ユニット（30）と室内ユニット（40）の弁の制御は図７の暖房運転時と同じである。
【０１０４】
この暖房／温蓄熱運転時は、圧縮機（11）から吐出された冷媒が第３四路切換弁（17）から蓄熱ユニット（20）の蓄熱側第２ガス管（86）を通り、一部は第４四路切換弁（22）から第２接続管（89）へ分流し、残りは流路切換ユニット（30）のガス側接続管（31）を通って室内ユニット（40）へ流入する。冷媒は室内熱交換器（41）で放熱し、凝縮ないし冷却された冷媒が室内ユニット（40）から流出して流路切換ユニット（30）の液側接続管（32）を流れ、中間部液連絡管（56）から蓄熱ユニット（20）へ流入する。冷媒は、蓄熱ユニット（20）の蓄熱側液管（87）から第１バイパス通路（96）を流れる。
【０１０５】
蓄熱側第２ガス管（86）から第４四路切換弁（22）を通って第２接続管（89）へ分流した冷媒は、蓄熱用熱交換器（21）へ流入して蓄熱槽（21a）の水へ放熱し、水を加熱して温熱が蓄えられる。蓄熱用熱交換器（21）で放熱した冷媒は、蓄熱側第２分岐管（98）を通って蓄熱側液管（87）へ流入し、第１バイパス通路（96）を流れた冷媒と蓄熱側液管（87）で合流した後、室外側液連絡管（53）から室外ユニット（10）へ流入する。
【０１０６】
室外ユニット（10）へ流入した冷媒は、液流入管（77）を通ってレシーバ（13）へ流入した後、液流出管（79）へ流出する。冷媒は、ブリッジ回路（18）を通って室外側第１膨張弁（73）及び室外側第２膨張弁（74）を通過した後、第１室外熱交換器（12a）及び第２室外熱交換器（12b）で蒸発する。蒸発した冷媒は、室外低圧管（67）を通ってアキュムレータ（14）へ流入した後、圧縮機（11）に吸入される。
【０１０７】
〈温蓄熱運転〉
図１０に示す温蓄熱運転は、室内熱交換器（41）を使わずに、蓄熱熱交換器が放熱器になり、室外熱交換器（12）が蒸発器になる状態で、冷媒が冷媒回路（50）を循環し、蓄熱熱交換器で温熱を蓄える運転である。
【０１０８】
温蓄熱運転時、室外ユニット（10）では、弁は図７の暖房運転と同様に制御される。蓄熱ユニット（20）では、蓄熱側第１流量調整弁（90）は全開に制御され、蓄熱側第１開閉弁（91）は閉鎖される。蓄熱側第２開閉弁（95）と蓄熱側第３開閉弁（99b）とは閉鎖され、蓄熱側流量調整弁（99a）は所定開度に制御される。流路切換ユニット（30）と室内ユニット（40）では、第１流路切換弁（34a）及び室外膨張弁の少なくとも一方が閉鎖され、室内熱交換器（41）を冷媒が流れるのが阻止される。
【０１０９】
この温蓄熱運転時は、圧縮機（11）から吐出された冷媒が第３四路切換弁（17）から蓄熱ユニット（20）の蓄熱側第２ガス管（86）を通り、第４四路切換弁（22）から第２接続管（89）へ分流する。冷媒は、蓄熱用熱交換器（21）へ流入して蓄熱槽（21a）の水へ放熱し、水を加熱して温熱が蓄えられる。蓄熱用熱交換器（21）で放熱した冷媒は、蓄熱側第２分岐管（98）を通って蓄熱側液管（87）へ流入し、さらに室外側液連絡管（53）から室外ユニット（10）へ流入する。
【０１１０】
室外ユニット（10）へ流入した冷媒は、液流入管（77）を通ってレシーバ（13）へ流入した後、液流出管（79）へ流出する。冷媒は、ブリッジ回路（18）を通って室外側第１膨張弁（73）及び室外側第２膨張弁（74）を通過した後、第１室外熱交換器（12a）及び第２室外熱交換器（12b）で蒸発する。蒸発した冷媒は、室外低圧管（67）を通ってアキュムレータ（14）へ流入した後、圧縮機（11）に吸入される。
【０１１１】
〈コントローラ等の詳細〉
図１２に示すように、本実施形態の空調システム（1）は、空調ユニット（1A）と、上述したコントローラ（5）とを備える。空調ユニット（1A）は、室外ユニット（10）と、蓄熱ユニット（20）と、複数の流路切換ユニット（30）と、複数の室内ユニット（40）とを含む。空調ユニット（1A）は、所定の電源ライン（L）を介して商用電源（C）に接続される。
【０１１２】
電源ライン（L）には、空調ユニット（1A）のシステム全体の使用商用電力を検出するための電力検出部（6）が設けられる。
【０１１３】
コントローラ（5）は、流路切換機構を制御することで、上述した複数の運転を切り換えるように構成される。流路切換機構は、冷媒回路（50）の冷媒の流路を切り換えるように構成される。具体的には、流路切換機構は、冷媒回路（50）に接続された上述の複数の弁で構成され、例えば開閉弁、四路切換弁、逆止弁、流量調節弁、膨張弁などを含む。コントローラ（5）が流路切換機構を制御することで、冷媒の流路が図２〜図１０のように変更され、上述した複数の運転が切り換えられる。
【０１１４】
上述した各運転は、冷房モード及び暖房モードにおいて実行される。冷房モードは、夏季などにおいて室内を冷房するために実行される運転を含む。具体的には、冷房モードは、冷房運転、冷房ピークシフト運転（冷房過冷却運転）、冷房ピークカット運転、冷房／冷蓄熱運転、及び冷蓄熱運転を含んでいる。暖房モードは、冬季などにおいて室内を暖房するために実行される運転を含む。具体的に、暖房モードは、上述した暖房運転、暖房ピークカット運転、暖房／温蓄熱運転、及び温蓄熱運転を含む。
【０１１５】
コントローラ（5）には、受信部（5a）と、圧縮機制御部（5b）とが設けられる。受信部（5a）には、電力供給者などからの信号が入力される。この信号は、第１信号である抑制指令と、第２信号である促進指令とを含む。抑制指令は、空調システム（1）のシステム全体の使用商用電力を抑制することを要求する信号である。促進指令は、空調システム（1）のシステム全体の使用商用電力を促進することを要求する信号である。
【０１１６】
コントローラ（5）は、抑制指令が受信部（5a）に入力されると、使用商用電力を抑制するための第１運転を行うように空調ユニット（1A）を制御する。第１運転は、蓄熱用熱交換器（21）を熱源としながら室内熱交換器（41）で空調を行う運転である。空調システム（1）が冷房モードである場合、第１運転は冷房ピークカット運転となる。つまり、冷房モードのある運転中において、受信部（5a）に抑制指令が入力されると、コントローラ（5）は、冷房ピークカット運転を実行するように空調ユニット（1A）を制御する。空調システム（1）が暖房モードである場合、第１運転は暖房ピークカット運転となる。つまり、暖房モードにおいて、受信部（5a）に促進指令が入力されると、コントローラ（5）は、暖房ピークカット運転を実行するように空調ユニット（1A）を制御する。
【０１１７】
コントローラ（5）は、促進指令が受信部（5a）に入力されると、使用商用電力を促進するための第２運転を行うように空調ユニット（1A）を制御する。第２運転は、蓄熱用熱交換器（21）で蓄熱を行いながら室内熱交換器（41）で空調を行う運転である。空調システム（1）が冷房モードである場合、第２運転は冷房／冷蓄熱運転となる。つまり、冷房モードのある運転中において、受信部（5a）に促進指令が入力されると、コントローラ（5）は、冷房／冷蓄熱運転を実行するように空調ユニット（1A）を制御する。空調システム（1）が暖房モードである場合、第２運転は暖房／温蓄熱運転となる。つまり、暖房モードのある運転中において、受信部（5a）に促進指令が入力されると、コントローラ（5）は、暖房／温蓄熱運転を実行するように空調ユニット（1A）を制御する。
【０１１８】
圧縮機制御部（5b）は、第１運転（即ち、冷房ピークカット運転や暖房ピークカット運転）の開始時において、使用商用電力を所定の目標値（第１値）以下に抑制する制御（第１制御）を行う。つまり、第１制御では、使用商用電力が第１値以下となるように圧縮機（11）が制御される。圧縮機制御部（5b）は、第２運転（即ち、冷房／冷蓄熱運転や暖房／暖蓄熱運転）の開始時において、使用商用電力を所定の目標値（第３値）以上に促進する制御（第３制御）を行う。つまり、第３制御では、使用商用電力が第３値以上となるように圧縮機（11）が制御される。
【０１１９】
実施形態１では、圧縮機（11）及びコントローラ（5）（制御装置）が、第１運転の開始時において、システム全体の使用商用電力を第１値以下とする電力抑制部を構成している。実施形態１では、圧縮機（11）及びコントローラ（5）が、第２運転の開始時において、システム全体の使用商用電力を第３値以上とする電力促進部を構成している。
【０１２０】
〈第１運転の課題〉
例えば冷房モードにおいて、受信部（5a）に抑制指令が入力されると、上述したように、ある運転から冷房ピークカット運転に移行する。冷房ピークカット運転では、蓄熱槽（21a）に蓄熱した冷熱が冷房に利用されるため、システム全体の使用商用電力を抑制できる。
【０１２１】
一方、ある運転から冷房ピークカット運転に移行した直後には、冷媒の流れが切り換わるため、冷凍サイクルが定常状態に至るまでの間にある程度の時間を要する。この結果、受信部（5a）に抑制指令が入力されたにも拘わらず、使用商用電力を速やかに低減することができず、使用商用電力が目標値（目標使用商用電力ともいう）を越えてしまう可能性があった。このような期間において使用商用電力が目標値を越えてしまうと、電力供給者などの要望に応えられなくなる。この課題は、暖房ピークカット運転の開始時においても同様に生じる。加えて、この課題は、停止状態の空調ユニット（1A）が冷房ピークカット運転や暖房ピークカット運転を開始する場合にも生じうる。
【０１２２】
特に冷房ピークカット運転の開始時には、圧縮機（11）で圧縮された後の高圧ガス冷媒が、蓄熱用熱交換器（21）へ供給される。ここで、冷房ピークカット運転の直前の他の運転において、冷媒が蓄熱用熱交換器（21）の内部に液冷媒として溜まっていると、高圧ガス冷媒によってこの液冷媒を押し出すためにかなりの時間を要する。このため、冷房ピークカット運転の冷凍サイクルが定常状態に至るまでに時間がかかり、使用商用電力の抑制の要望に十分に応えられない可能性があった。よって、冷房ピークカット運転の開始時には、このような課題が顕著となる。
【０１２３】
〈第１運転の開始時の制御〉
本実施形態では、上記の第１運転の課題に着目し、第１運転の開始時に以下の制御を行うようにしている。この制御について、図１３及び図１４を参照しながら説明する。ここでは、冷房モード時における第１運転の開始時の制御について詳細に説明する。
【０１２４】
図１３に示すように、冷房運転では、室内ユニット（40）（室内熱交換器（41））において所定の空調能力（ここでは冷房能力）が得られるように空調ユニット（1A）が制御される。ここで、室内ユニット（40）の空調能力は、例えば冷房モード時の設定温度、及び室内温度（例えば吸込空気の温度）に基づいて決定される。例えば冷房運転中において、図１３の時点t1に受信部（5a）に抑制指令が受信されたとする。この場合、図１４のステップST1からステップST2に移行し、冷房運転から冷房ピークカット運転に切り換わる。
【０１２５】
空調ユニット（1A）には、抑制指令を受信した場合の目標使用商用電力（第１値）が予め設定されている。この目標使用商用電力は、冷房ピークカット運転の冷凍サイクルが定常状態に至った場合には、十分に満たすことができる程度の値に設定されている。逆にいうと、抑制指令のあった直後から、単純に冷房ピークカット運転を開始した場合、冷凍サイクルが定常状態に至るまでの間、使用商用電力が目標使用商用電力を上回ってしまう可能性がある。
【０１２６】
そこで、ステップST3において、電力検出部（6）で検出した使用商用電力が所定値（第２値）を上回る場合、ステップST4及びST5の第１制御に移行する。この所定値は、冷房ピークカット運転の目標使用商用電力（第１値）と同じであってもよいし、第１値よりも低い所定値であってもよい。一方、ステップST3において、使用商用電力が所定値（第２値）以下である場合、ステップST7に移行し、第２制御が行われる。この第２制御は、使用商用電力を考慮せず、空調能力を要求能力に近づける制御であり、例えば冷房運転の通常の制御と同じといえる。なお、ステップST3の判定を省略し、ステップST2において冷房ピークカット運転が開始されると、必ずステップST4に移行するようにしてもよい。また、ステップST3の判定後、ステップST4を省略してステップST5に移行するようにしてもよい。
【０１２７】
第１制御が実行されると、まず、ステップST4において圧縮機制御部（5b）が圧縮機（11）を停止させる。これにより、抑制指令のタイミングに同期して、使用商用電力が大幅に低下する。従って、冷房ピークカット運転の立ち上がり時において、使用商用電力が目標使用商用電力を上回ることを確実に回避できる。
【０１２８】
次いで、ステップST5に移行すると、使用商用電力を目標使用商用電力以下としながら、空調能力を要求能力に近づけるように圧縮機（11）が制御される。この制御は、例えば室内ユニット（40）の冷媒の蒸発温度、要求能力から定まる冷媒の目標蒸発温度、電力検出部（6）で検出した使用商用電力、目標使用商用電力などを制御パラメータとしながら、圧縮機（11）の回転数を制御することで実現できる。これにより、第１制御では、図１３にも示すように、室内ユニット（40）の空調能力が徐々に要求能力に近づいていき、冷房ピークカット運転の冷凍サイクルが定常状態へと近づいていく。これにより、冷房ピークカット運転において、蓄熱（冷熱）を利用することにより削減される電力（図１３のハッチングを付した領域の面積）が徐々に増大し、冷房ピークカット運転による電力抑制効果も徐々に発揮されていく。
【０１２９】
次いで、ステップST6に移行し、空調能力が未だ要求能力に至ってない場合、ステップST8へ移行する。ステップST8において、抑制指令が解除されている場合、冷房運転に戻り、抑制指令が解除されていない場合、ステップST5の制御が継続して行われる。
【０１３０】
その後、図１３の時点t2において空調能力が要求能力に至ると、第１制御が終了し、第２制御が実行される（ステップST7）。ステップST7では、使用商用電力によらず、空調能力を要求能力に近づける制御（通常の制御）が行われる。従って、ステップST7に移行した後は、制御パラメータが少なくなり、空調ユニット（1A）の制御性が向上する。
【０１３１】
以上のように、冷房ピークカット運転の開始時には、システム全体の使用商用電力を目標使用商用電力以下とする第１制御が実行される。この結果、冷房ピークカット運転の開始時においても、電力の抑制要求を確実に満足させることができる。
【０１３２】
なお、詳細の説明は省略するが、第１運転である暖房ピークカット運転においても、冷房ピークカット運転と同様の制御が行われる。この結果、暖房ピークカット運転の開始時においても、電力の抑制要求を確実に満足させることができる。
【０１３３】
〈第２運転の課題〉
例えば冷房モードにおいて、受信部（5a）に促進指令が入力されると、上述したように、ある運転から冷房／冷蓄熱運転に移行する。冷房／冷蓄熱運転では、蓄熱槽（21a）に冷熱を蓄えながら冷房が行われるため、システム全体の使用商用電力を促進できる。
【０１３４】
一方、ある運転から冷房／冷蓄熱運転に移行した直後には、冷媒の流れが切り換わるため、冷凍サイクルが定常状態に至るまでの間にある程度の時間を要する。この結果、受信部（5a）に促進指令が入力されたにも拘わらず、使用商用電力を速やかに増大することができず、使用商用電力が目標値（目標使用商用電力ともいう）を下回ってしまう可能性があった。このような期間において使用商用電力が目標値を下回ってしまうと、電力供給者などの要望に応えられなくなる。この課題は、暖房／温蓄熱運転の開始時においても同様に生じる。加えて、この課題は、停止状態の空調ユニット（1A）が冷房／冷蓄熱運転や暖房／温蓄熱運転を開始する場合にも生じうる。
【０１３５】
〈第２運転の開始時の制御〉
本実施形態では、上記の第２運転の課題に着目し、第２運転の開始時に以下の制御を行うようにしている。この制御について、図１５及び図１６を参照しながら説明する。ここでは、冷房モード時における第２運転の開始時の制御について詳細に説明する。
【０１３６】
図１５に示すように、冷房運転では、室内ユニット（40）において所定の空調能力（ここでは冷房能力）が得られるように空調ユニット（1A）が制御される。例えば冷房運転中において、図１５の時点t3に受信部（5a）に促進指令が受信されたとする。この場合、図１６のステップST11からステップST12に移行し、冷房運転から冷房／冷蓄熱運転に切り換わる。
【０１３７】
空調ユニット（1A）には、促進指令を受信した場合の目標使用商用電力（第３値）が予め設定されている。この目標使用商用電力は、冷房／冷蓄熱運転の冷凍サイクルが定常状態に至った場合には、十分に満たすことができる程度の値に設定されている。逆にいうと、促進指令のあった直後から、単純に冷房／冷蓄熱運転を開始した場合、冷凍サイクルが定常状態に至るまでの間、使用商用電力が目標使用商用電力を下回ってしまう可能性がある。
【０１３８】
そこで、ステップST13において、電力検出部（6）で検出した使用商用電力が所定値（第４値）を下回る場合、ステップST15の第３制御に移行する。この所定値は、冷房／冷蓄熱運転の目標使用商用電力（第３値）と同じであってもよいし、第３値よりも高い所定値であってもよい。一方、ステップST13において、使用商用電力が所定値（第４値）以上である場合、ステップST17に移行し、第４制御が行われる。この第４制御は、使用商用電力を考慮せず、空調能力を要求能力に近づける制御であり、例えば冷房運転の通常の制御と同じといえる。なお、ステップST13の判定を省略し、ステップST12において冷房／冷蓄熱運転が開始されると、必ずステップST15に移行するようにしてもよい。
【０１３９】
第３制御が実行されると、使用商用電力を目標使用商用電力以上としながら、空調能力を要求能力に近づけるように圧縮機（11）が制御される。この制御は、例えば室内ユニット（40）の冷媒の蒸発温度、要求能力から定まる冷媒の目標蒸発温度、電力検出部（6）で検出した使用商用電力、目標使用商用電力などを制御パラメータとしながら、圧縮機（11）の回転数を制御することで実現できる。これにより、第３制御では、図１５にも示すように、室内ユニット（40）の空調能力が徐々に要求能力に近づいていき、冷房／冷蓄熱運転の冷凍サイクルが定常状態へと近づいていく。これにより、冷房／冷蓄熱運転において、熱（冷熱）を蓄えることにより増大する電力（図１５のハッチングを付した領域の面積）が徐々に増大し、冷房／冷蓄熱運転による電力促進効果も徐々に発揮されていく。
【０１４０】
次いで、ステップST16に移行し、空調能力が未だ要求能力を越えている場合、ステップST18へ移行する。ステップST18において、促進指令が解除されている場合、冷房運転に戻り、促進指令が解除されていない場合、ステップST15の制御が継続して行われる。
【０１４１】
その後、図１５の時点t4において空調能力が要求能力に至ると、第３制御が終了し、第４制御が実行される（ステップST17）。ステップST17では、使用商用電力によらず、空調能力を要求能力に近づける制御（通常の制御）が行われる。従って、ステップST17に移行した後は、制御パラメータが少なくなり、空調ユニット（1A）の制御性が向上する。
【０１４２】
以上のように、冷房／冷蓄熱運転の開始時には、システム全体の使用商用電力を目標使用商用電力以上とする第３制御が実行される。この結果、冷房／冷蓄熱運転の開始時においても、電力の促進要求を確実に満足させることができる。
【０１４３】
なお、詳細の説明は省略するが、第２運転である暖房／温蓄熱運転においても、冷房／冷蓄熱運転と同様の制御が行われる。この結果、暖房／温蓄熱運転の開始時においても、電力の促進要求を確実に満足させることができる。
【０１４４】
−実施形態１の効果−
実施形態１では、第１運転の開始のタイミングに同期して、システム全体の使用商用電力を第１値以下に制御する第１制御を行う電力抑制部を備えている。この構成により、冷房ピークカット運転や暖房ピークカット運転の開始時において、冷凍サイクルが定常状態に至るまでの間にも使用商用電力を確実に目標使用商用電力以下に抑えることができる。よって、電力供給者などの電力の抑制要求を確実に満たすことができる。
【０１４５】
実施形態１の電力抑制部は、圧縮機（11）と、第１制御においてシステム全体の使用商用電力が第１値以下となるように圧縮機（11）を制御するコントローラ（5）（制御装置）とを備える。この構成により、圧縮機（11）の制御によってシステム全体の使用商用電力を容易に第１値以下に抑えることができる。
【０１４６】
実施形態１のコントローラ（5）は、第１制御において、使用商用電力を第１値以下としながら室内熱交換器（41）（利用側熱交換器）の空調能力を要求能力に近づけるように圧縮機（11）を制御する（ステップST5）。この構成により、使用商用電力が第１値を上回ることを抑制しつつ、冷凍サイクルを定常状態に近づけていくことができる。
【０１４７】
実施形態１のコントローラ（5）は、第１運転の開始時に、使用商用電力が第２値を上回る場合に第１制御を行う一方、使用商用電力が第２値以下である場合に、使用商用電力によらず室内熱交換器（利用側熱交換器（41））の空調能力を要求能力に近づけるように圧縮機（11）を制御する第２制御を行う(ステップST7）。この構成により、第１運転が開始する際、使用商用電力が十分に低い場合には、すぐに第２制御に移行できる。第２制御は、使用商用電力を考慮しない制御であるため、空調ユニット（1A）の制御性が向上する。よって、空調能力を速やかに要求能力に収束させることができる。
【０１４８】
実施形態１のコントローラ（5）は、第１制御の開始時に圧縮機（11）を停止する。この構成により、第１制御において、使用商用電力を確実且つ急峻に低下させることができ、使用商用電力が目標値を上回ることを一層確実に回避できる。
【０１４９】
実施形態１のコントローラ（5）は、第１制御において、室内熱交換器（41）（利用側熱交換器）の空調能力が要求能力に至ると、使用商用電力によらず室内熱交換器（41）の空調能力を要求能力に近づけるように圧縮機（11）を制御する第２制御を行う。この条件により第２制御に移行させることで、使用商用電力が目標値を上回ることを回避しつつ、空調ユニット（1A）において通常の能力制御を行うことができる。
【０１５０】
実施形態１では、第２運転の開始のタイミングに同期して、システム全体の使用商用電力を第３値以上に制御する第３制御を行う電力促進部を備えている。この構成により、冷房／冷蓄熱運転や暖房／温蓄熱運転の開始時において、冷凍サイクルが定常状態に至るまでの間にも使用商用電力を確実に目標使用商用電力以上とすることができる。よって、電力供給者などの電力の促進要求を確実に満たすことができる。
【０１５１】
実施形態１の電力促進部は、圧縮機（11）と、第３制御においてシステム全体の使用商用電力が第３値以上となるように圧縮機（11）を制御するコントローラ（制御装置）とを備える。この構成により、圧縮機（11）の制御によってシステム全体の使用商用電力を容易に第３値以上に促進させることができる。
【０１５２】
実施形態１のコントローラ（5）は、第３制御において、使用商用電力を第３値以上としながら室内熱交換器（41）（利用側熱交換器）の空調能力を要求能力に近づけるように圧縮機（11）を制御する（ステップST15）。この構成により、使用商用電力が第３値を下回ることを抑制しつつ、冷凍サイクルを定常状態に近づけていくことができる。
【０１５３】
実施形態１のコントローラ（5）は、第２運転の開始時に、使用商用電力が第４値を下回る場合に第３制御を行う一方、使用商用電力が第４値以上である場合に、使用商用電力によらず利用側熱交換器（41）の空調能力を要求能力に近づけるように圧縮機（11）を制御する第４制御を行う（ステップST17）。この構成により、第２運転が開始する際、使用商用電力が十分に高い場合には、すぐに第４制御に移行できる。第４制御は、使用商用電力を考慮しない制御であるため、空調ユニット（1A）の制御性が向上する。よって、空調能力を速やかに要求能力に収束させることができる。
【０１５４】
実施形態１のコントローラ（5）は、第３制御において、室内熱交換器（41）（利用側熱交換器）の空調能力が要求能力に至ると、使用商用電力によらず室内熱交換器（41）の空調能力を要求能力に近づけるように圧縮機（11）を制御する第４制御を行う。空調能力が要求能力に至ったということは、冷凍サイクルが定常状態に至ったとみなすことができる。よって、この条件により第４制御に移行させることで、使用商用電力が目標値を下回ることを回避しつつ、空調ユニット（1A）において通常の能力制御を行うことができる。
【０１５５】
《実施形態２》
実施形態２の空調システム（1）は、実施形態１の空調ユニット（1A）に加えて、蓄電池を含む蓄電装置（100）を備えている。つまり、実施形態２の空調システム（1）は、蓄熱の機能に加えて、商用電源（C）の電力を蓄えたり、充電した電力を空調ユニット（1A）に供給したりする蓄電の機能も有する。
【０１５６】
図１７に模式的に示すように、空調システム（1）の電源ライン（L）には、電力切換回路（7）が接続される。電力切換回路（7）は、交流電力及び直流電力を相互に変換する電力変換回路を含んでいる。電力切換回路（7）は、商用電源（C）の商用電力が空調ユニット（1A）のみに供給される状態（第１状態）と、商用電源（C）の商用電力が蓄電装置（100）のみに供給される状態（第２状態）と、商用電源（C）の商用電力が空調ユニット（1A）及び蓄電装置（100）に供給される状態（第３状態）と、商用電源（C）の商用電力、及び蓄電装置（100）に蓄えられた電力が空調ユニット（1A）に供給される状態（第４状態）とに切り換え可能に構成される。
【０１５７】
コントローラ（5）には、受信部（5a）、圧縮機制御部（5b）、及び電力制御部（5c）が設けられる。電力制御部（5c）は、電力切換回路（7）の状態を切り換えたり、蓄電装置（100）に蓄える電力や、蓄電装置（100）から空調ユニット（1A）に供給する電力を制御したりする。
【０１５８】
実施形態２の第１制御では、蓄電装置（100）から空調ユニット（1A）に電力が供給されることで、システム全体の使用商用電力が目標使用商用電力（第１値）以下に抑えられる。つまり、実施形態２の電力抑制部は、蓄電装置（100）と、第１制御において蓄電装置（100）の供給電力を制御するコントローラ（5）（厳密には、電力制御部（5c））によって構成される。
【０１５９】
実施形態２の第３制御では、商用電源（C）からの商用電力を充電することで、システム全体の使用商用電力が目標使用商用電力（第３値）以上に維持される。つまり、実施形態２の電力促進部は、蓄電装置（100）と、第３制御において蓄電装置（100）に蓄電される商用電力を制御するコントローラ（5）（厳密には、電力制御部（5c））によって構成される。
【０１６０】
〈第１運転の開始時の制御〉
実施形態２に係る第１運転の開始時の制御について、図１８及び図１９を参照しながら説明する。ここでは、冷房モード時における第１運転の開始時の制御について詳細に説明する。
【０１６１】
図１８に示すように、冷房運転では、室内ユニット（40）（室内熱交換器（41））において所定の空調能力（ここでは冷房能力）が得られるように空調ユニット（1A）が制御される。例えば冷房運転中において、図１８の時点t5に受信部（5a）に抑制指令が受信されたとする。この場合、図１９のステップST21からステップST22に移行し、冷房運転から冷房ピークカット運転に切り換わる。
【０１６２】
次いで、ステップST23において、電力検出部（6）で検出した使用商用電力が所定値（第２値）を上回る場合、ステップST25の第１制御に移行する。この所定値は、冷房ピークカット運転の目標使用商用電力（第１値）と同じであってもよいし、第１値よりも低い所定値であってもよい。一方、ステップST23において、使用商用電力が所定値（第２値）以下である場合、ステップST27に移行し、第２制御が行われる。この第２制御は、蓄電装置（100）を停止しながら、空調能力を要求能力に近づける制御であり、例えば冷房運転の通常の制御と同じといえる。なお、ステップST23の判定を省略し、ステップST22において冷房ピークカット運転が開始されると、必ずステップST25に移行するようにしてもよい。
【０１６３】
ステップST25において第１制御が実行されると、コントローラ（5）は、空調能力を要求能力に近づけるように圧縮機（11）を制御する。同時に、コントローラ（5）は、電力切換回路（7）を第４状態とする。これにより、空調ユニット（1A）には、商用電源（C）の商用電力と、蓄電装置（100）に蓄えられた電力との双方が供給される。ここで、コントローラ（5）は、システム全体の使用商用電力が目標使用商用電力（第１値）以下となるように、蓄電装置（100）の供給電力を制御する。つまり、第１制御では、使用商用電力を第１値以下とし且つ空調能力を要求能力に維持するために不足する電力を、蓄電装置（100）が補うことになる。これにより、図１８に示すように、第１運転の開始時において、使用商用電力が目標使用商用電力を上回ることを回避できるとともに、十分な空調能力を得ることができる。
【０１６４】
空調ユニット（1A）の冷凍サイクルが定常状態に近づくにつれて、冷房ピークカット運転による蓄熱利用の削減電力が徐々に増えていく。これに伴い、蓄電装置（100）の供給電力は徐々に減っていく。
【０１６５】
ステップST26において、蓄電装置（100）の供給電力が０となり、且つ空調能力が要求能力以上である条件が成立すると、第１制御が終了し、第２制御が実行される（ステップST27）。ステップST26の条件が成立しない場合、ステップST28へ移行する。ステップST28において、抑制指令が解除されている場合、冷房運転に戻り、抑制指令が解除されていない場合、ステップST25の制御が継続して行われる。
【０１６６】
例えば図１８の時点t6においてステップST26の条件が成立すると、ステップST27に移行する。ステップST27では、第２制御が実行され、電力切換回路（7）が第１状態となる。つまり、第２制御では、蓄電装置（100）が停止するとともに、使用商用電力によらず、空調能力を要求能力に近づける制御（通常の制御）が行われる。従って、ステップST27に移行した後は、運転パラメータが少なくなる。また、このように、蓄電装置（100）を必要最小限の期間のみ利用することで、蓄電装置（100）の小容量化を図ることができる。
【０１６７】
以上のように、冷房ピークカット運転の開始時には、システム全体の使用商用電力を目標使用商用電力以下とする第１制御が実行される。この結果、冷房ピークカット運転の開始時においても、電力の抑制要求を確実に満足させることができる。
【０１６８】
なお、詳細の説明は省略するが、第１運転である暖房ピークカット運転においても、冷房ピークカット運転と同様の制御が行われる。この結果、暖房ピークカット運転の開始時においても、電力の抑制要求を確実に満足させることができる。
【０１６９】
〈第２運転の開始時の制御〉
実施形態２に係る第２運転の開始時の制御について、図２０及び図２１を参照しながら説明する。ここでは、冷房モード時における第２運転の開始時の制御について詳細に説明する。
【０１７０】
図２０に示すように、冷房運転では、室内ユニット（40）（室内熱交換器（41））において所定の空調能力（ここでは冷房能力）が得られるように空調ユニット（1A）が制御される。例えば冷房運転中において、図２０時点t7に受信部（5a）に促進指令が受信されたとする。この場合、図２１のステップST31からステップST32に移行し、冷房運転から冷房／冷蓄熱運転に切り換わる。
【０１７１】
次いで、ステップST33において、電力検出部（6）で検出した使用商用電力が所定値（第４値）を下回る場合、ステップST35の第３制御に移行する。この所定値は、冷房／冷蓄熱運転の目標使用商用電力（第３値）と同じであってもよいし、第３値よりも高い所定値であってもよい。一方、ステップST33において、使用商用電力が所定値（第４値）以上である場合、ステップST37に移行し、第４制御が行われる。この第４制御は、蓄電装置（100）を停止しながら、空調能力を要求能力に近づける制御であり、例えば冷房運転の通常の制御と同じといえる。なお、ステップST33の判定を省略し、ステップST32において冷房／冷蓄熱運転が開始されると、必ずステップST35に移行するようにしてもよい。
【０１７２】
ステップST35において第３制御が実行されると、コントローラ（5）は、空調能力を要求能力に近づけるように圧縮機（11）を制御する。同時に、コントローラ（5）は、電力切換回路（7）を第３状態とする。これにより、商用電源（C）の商用電力が、空調ユニット（1A）及び蓄電装置（100）の双方に供給される。ここで、コントローラ（5）は、システム全体の使用商用電力が目標使用商用電力（第３値）以上となるように、蓄電装置（100）に蓄えられる商用電力（充電力）を制御する。つまり、第３制御では、空調能力を要求能力に維持するだけでは目標使用商用電力に対して不足してしまう使用商用電力を、蓄電装置（100）への商用電力の供給により補うことになる。これにより、図２０に示すように、第２運転の開始時において、使用商用電力が目標使用商用電力を下回ることを回避できるとともに、空調能力を要求能力に維持できる。
【０１７３】
空調ユニット（1A）の冷凍サイクルが定常状態に近づくにつれて、冷房／冷蓄熱運転の蓄熱により増大する電力が徐々に増えていく。これに伴い、蓄電装置（100）の充電力は徐々に減っていく。
【０１７４】
ステップST36において、商用電源（C）から蓄電装置（100）へ供給される商用電力（充電力）が０となり、且つ空調能力が要求能力である条件が成立すると、第３制御が終了し、第４制御が実行される（ステップST37）。ステップST36の条件が成立しない場合、ステップST38へ移行する。ステップST38において、促進指令が解除されている場合、冷房運転に戻り、促進指令が解除されていない場合、ステップST35の制御が継続して行われる。
【０１７５】
例えば図２０の時点t8においてステップST36の条件が成立すると、ステップST37に移行する。ステップST37では、第４制御が実行され、電力切換回路（7）が第１状態となる。つまり、第４制御では、蓄電装置（100）が停止するとともに、使用商用電力によらず、空調能力を要求能力に近づける制御（通常の制御）が行われる。従って、ステップST37に移行した後は、制御パラメータが少なくなり、空調ユニット（1A）の制御性が向上する。また、このように、蓄電装置（100）を必要最小限の期間のみ利用することで、蓄電装置（100）の小容量化を図ることができる。
【０１７６】
以上のように、冷房／冷蓄熱運転の開始時には、システム全体の使用商用電力を目標使用商用電力以上とする第３制御が実行される。この結果、冷房／冷蓄熱運転の開始時においても、電力の促進要求を確実に満足させることができる。
【０１７７】
−実施形態２の効果−
実施形態２の電力抑制部は、蓄えた商用電力を空調ユニット（1A）に供給する蓄電装置（100）と、第１制御において、システム全体の使用商用電力が前記第１値以下となるように前記蓄電装置（100）の供給電力を制御するコントローラ（5）（制御装置）とを備えている。この構成により、蓄電装置（100）の制御によってシステム全体の使用商用電力を確実に第１値以下に抑えることができる。第１制御において、空調ユニット（1A）の空調能力を大きく低下させる必要もない。
【０１７８】
実施形態２のコントローラ（5）は、第１制御において、使用商用電力によらず室内熱交換器（41）（利用側熱交換器）の空調能力を要求能力に近づけるように圧縮機（11）を制御する。この構成により、第１運転の開始時において、使用商用電力の抑制要求と、空調能力の要求との双方を確実に満たすことができる。
【０１７９】
実施形態２のコントローラ（5）は、第１制御において、蓄電装置（100）から空調ユニット（1A）に供給される電力がゼロで且つ室内熱交換器（41）（利用側熱交換器）の空調能力が要求能力であると、前記蓄電装置（100）を停止させ前記空調ユニット（1A）の運転を継続させる。蓄電装置（100）から空調ユニット（1A）への供給電力がゼロであり、且つ空調能力が要求能力であることは、第１運転の冷凍サイクルが定常状態に至っていることを意味する。従って、この条件判定により、冷凍サイクルが定常状態に至ったタイミングに合わせて蓄電装置（100）を確実に停止できる。その後には、空調ユニット（1A）のみを制御して、冷房ピークカット運転や暖房ピークカット運転を継続できるため、空調システム（1）の制御性が向上する。加えて、蓄電装置（100）から空調ユニット（1A）に供給する供給電力を必要最小限に抑えることができる。よって、蓄電装置（100）の小容量化を図ることができ、ひいては空調システム（1）の小型化を図ることができる。
【０１８０】
実施形態２の電力促進部は、蓄えた商用電力を空調ユニット（1A）に供給する蓄電装置（100）と、第３制御において、システム全体の使用商用電力が第３値以上となるように蓄電装置（100）に蓄える商用電力を制御するコントローラ（5）（制御装置）とを備えている。この構成により、蓄電装置（100）の制御によってシステム全体の使用商用電力を確実に第３値以上とすることができる。第３制御において、空調ユニット（1A）の空調能力を大きく増大させる必要もない。
【０１８１】
実施形態２のコントローラ（5）は、第３制御において、使用商用電力によらず室内熱交換器（41）（利用側熱交換器）の空調能力を要求能力に近づけるように圧縮機（11）を制御する。この構成により、第２運転の開始時において、使用商用電力の促進要求と、空調能力の要求との双方を確実に満たすことができる。
【０１８２】
実施形態２のコントローラ（5）は、第３制御において、前記蓄電装置（100）に供給される商用電力がゼロで且つ前記利用側熱交換器（41）の空調能力が要求能力であると、前記蓄電装置（100）を停止させ前記空調ユニット（1A）の運転を継続させる。蓄電装置（100）の充電力がゼロであり、且つ空調能力が要求能力であることは、第２運転の冷凍サイクルが定常状態に至っていることを意味する。従って、この条件判定により、冷凍サイクルが定常状態に至ったタイミングに合わせて蓄電装置（100）を確実に停止できる。その後には、空調ユニット（1A）のみを制御して、冷房／冷蓄熱運転や暖房／温蓄熱運転を継続できるため、空調システム（1）の制御性が向上する。加えて、蓄電装置（100）から空調ユニット（1A）に供給する充電力を必要最小限に抑えることができる。よって、蓄電装置（100）の小容量化を図ることができ、ひいては空調システム（1）の小型化を図ることができる。
【０１８３】
《その他の実施形態》
上述した空調システム（1）の蓄熱ユニット（20）は、蓄熱媒体が貯留される蓄熱槽と、蓄熱用熱交換器と、ポンプとが接続される蓄熱回路を有し、ポンプが循環する蓄熱媒体と冷媒とが蓄熱用熱交換器で熱交換する、いわゆるダイナミック式であってもよい。
【０１８４】
蓄熱媒体は、水に限られない。蓄熱媒体は、冷却されることによって包接水和物が生成される蓄熱媒体（例えば臭化テトラｎブチルアンモニウム水溶液）であってもよい。
【０１８５】
以上、実施形態および変形例を説明したが、特許請求の範囲の趣旨および範囲から逸脱することなく、形態や詳細の多様な変更が可能なことが理解されるであろう。また、以上の実施形態、変形例、その他の実施形態は、本開示の対象の機能を損なわない限り、適宜組み合わせたり、置換したりしてもよい。以上に述べた「第１」、「第２」、「第３」…という記載は、これらの記載が付与された語句を区別するために用いられており、その語句の数や順序までも限定するものではない。
【産業上の利用可能性】
【０１８６】
本開示は、空調システムについて有用である。
【符号の説明】
【０１８７】
１              空調システム
１Ａ            空調ユニット
５              コントローラ（制御装置、電力抑制部、電力促進部）
１１            圧縮機（電力抑制部、電力促進部）
２１            蓄熱用熱交換器
４１            利用側熱交換器
５０            冷媒回路
１００          蓄電装置（電力抑制部、電力促進部）
【手続補正２】
【補正対象書類名】特許請求の範囲
【補正対象項目名】全文
【補正方法】変更
【補正の内容】
【特許請求の範囲】
【請求項１】
圧縮機（11）と、室内の空調を行う利用側熱交換器（41）と、蓄熱用熱交換器（21）とが接続され、冷凍サイクルを行う冷媒回路（50）を備え、
システム全体の使用商用電力を抑制する抑制指令に応じて、前記蓄熱用熱交換器（21）を熱源としながら前記利用側熱交換器（41）で空調を行う第１運転を実行する空調システムであって、
前記第１運転の開始のタイミングに同期して、前記システム全体の使用商用電力を第１値以下に制御する第１制御を行う電力抑制部（5,11,100）を備え、
前記電力抑制部は、
前記圧縮機（11）と、
前記第１制御において、システム全体の使用商用電力が前記第１値以下となるように前記圧縮機（11）を制御する制御装置（5）とを備え、
前記制御装置（5）は、前記第１制御において、前記使用商用電力を前記第１値以下としながら前記利用側熱交換器（41）の空調能力を要求能力に近づけるように前記圧縮機（11）を制御することを特徴とする空調システム。
【請求項２】
圧縮機（11）と、室内の空調を行う利用側熱交換器（41）と、蓄熱用熱交換器（21）とが接続され、冷凍サイクルを行う冷媒回路（50）を備え、
システム全体の使用商用電力を抑制する抑制指令に応じて、前記蓄熱用熱交換器（21）を熱源としながら前記利用側熱交換器（41）で空調を行う第１運転を実行する空調システムであって、
前記第１運転の開始のタイミングに同期して、前記システム全体の使用商用電力を第１値以下に制御する第１制御を行う電力抑制部（5,11,100）を備え、
前記電力抑制部は、
前記圧縮機（11）と、
前記第１制御において、システム全体の使用商用電力が前記第１値以下となるように前記圧縮機（11）を制御する制御装置（5）とを備え、
前記制御装置（5）は、前記第１運転の開始時に、前記使用商用電力が第２値を上回る場合に前記第１制御を行う一方、該使用商用電力が該第２値以下である場合に、前記使用商用電力によらず前記利用側熱交換器（41）の空調能力を要求能力に近づけるように圧縮機（11）を制御する第２制御を行うことを特徴とする空調システム。
【請求項３】
請求項１又は２において、
前記制御装置（5）は、前記第１制御の開始時に前記圧縮機（11）を停止させることを特徴とする空調システム。
【請求項４】
圧縮機（11）と、室内の空調を行う利用側熱交換器（41）と、蓄熱用熱交換器（21）とが接続され、冷凍サイクルを行う冷媒回路（50）を備え、
システム全体の使用商用電力を抑制する抑制指令に応じて、前記蓄熱用熱交換器（21）を熱源としながら前記利用側熱交換器（41）で空調を行う第１運転を実行する空調システムであって、
前記第１運転の開始のタイミングに同期して、前記システム全体の使用商用電力を第１値以下に制御する第１制御を行う電力抑制部（5,11,100）を備え、
前記電力抑制部は、
前記圧縮機（11）と、
前記第１制御において、システム全体の使用商用電力が前記第１値以下となるように前記圧縮機（11）を制御する制御装置（5）とを備え、
前記制御装置（5）は、前記第１制御において、前記利用側熱交換器（41）の空調能力が要求能力に至ると、前記使用商用電力によらず前記利用側熱交換器（41）の空調能力を要求能力に近づけるように圧縮機（11）を制御する第２制御を行うことを特徴とする空調システム。
【請求項５】
圧縮機（11）と、室内の空調を行う利用側熱交換器（41）と、蓄熱用熱交換器（21）とが接続され、冷凍サイクルを行う冷媒回路（50）を備え、
システム全体の使用商用電力を抑制する抑制指令に応じて、前記蓄熱用熱交換器（21）を熱源としながら前記利用側熱交換器（41）で空調を行う第１運転を実行する空調システムであって、
前記第１運転の開始のタイミングに同期して、前記システム全体の使用商用電力を第１値以下に制御する第１制御を行う電力抑制部（5,11,100）と、
前記冷媒回路（50）を含む空調ユニット（1A）とを備え、
前記電力抑制部は、
蓄えた電力を前記空調ユニット（1A）に供給する蓄電装置（100）と、
前記第１制御において、システム全体の使用商用電力が前記第１値以下となるように前記蓄電装置（100）の供給電力を制御する制御装置（5）とを備え、
前記制御装置（5）は、前記第１制御において、前記使用商用電力によらず前記利用側熱交換器（41）の空調能力を要求能力に近づけるように前記圧縮機（11）を制御することを特徴とする空調システム。
【請求項６】
請求項５において、
前記制御装置（5）は、前記第１制御において、前記蓄電装置（100）から前記空調ユニット（1A）に供給される電力がゼロで且つ前記利用側熱交換器（41）の空調能力が要求能力であると、前記蓄電装置（100）を停止させ前記空調ユニット（1A）の運転を継続させることを特徴とする空調システム。
【請求項７】
圧縮機（11）と、室内の空調を行う利用側熱交換器（41）と、蓄熱用熱交換器（21）とが接続され、冷凍サイクルを行う冷媒回路（50）を備え、
システム全体の使用商用電力を促進する促進指令に応じて、前記蓄熱用熱交換器（21）で蓄熱を行いながら前記利用側熱交換器（41）で空調を行う第２運転を実行する空調システムであって、
前記第２運転の開始のタイミングに同期して、前記システム全体の使用商用電力を第３値以上に制御する第３制御を行う電力促進部（5,11,100）を備え、
前記電力促進部は、
前記圧縮機（11）と、
前記第３制御において、システム全体の使用商用電力が前記第３値以上となるように前記圧縮機（11）を制御する制御装置（5）とを備え、
前記制御装置（5）は、前記第３制御において、前記使用商用電力を前記第３値以上としながら前記利用側熱交換器（41）の空調能力を要求能力に近づけるように前記圧縮機（11）を制御することを特徴とする空調システム。
【請求項８】
圧縮機（11）と、室内の空調を行う利用側熱交換器（41）と、蓄熱用熱交換器（21）とが接続され、冷凍サイクルを行う冷媒回路（50）を備え、
システム全体の使用商用電力を促進する促進指令に応じて、前記蓄熱用熱交換器（21）で蓄熱を行いながら前記利用側熱交換器（41）で空調を行う第２運転を実行する空調システムであって、
前記第２運転の開始のタイミングに同期して、前記システム全体の使用商用電力を第３値以上に制御する第３制御を行う電力促進部（5,11,100）を備え、
前記電力促進部は、
前記圧縮機（11）と、
前記第３制御において、システム全体の使用商用電力が前記第３値以上となるように前記圧縮機（11）を制御する制御装置（5）とを備え、
前記制御装置（5）は、前記第２運転の開始時に、前記使用商用電力が第４値を下回る場合に前記第３制御を行う一方、該使用商用電力が該第４値以上である場合に、前記使用商用電力によらず前記利用側熱交換器（41）の空調能力を要求能力に近づけるように圧縮機（11）を制御する第４制御を行うことを特徴とする空調システム。
【請求項９】
圧縮機（11）と、室内の空調を行う利用側熱交換器（41）と、蓄熱用熱交換器（21）とが接続され、冷凍サイクルを行う冷媒回路（50）を備え、
システム全体の使用商用電力を促進する促進指令に応じて、前記蓄熱用熱交換器（21）で蓄熱を行いながら前記利用側熱交換器（41）で空調を行う第２運転を実行する空調システムであって、
前記第２運転の開始のタイミングに同期して、前記システム全体の使用商用電力を第３値以上に制御する第３制御を行う電力促進部（5,11,100）を備え、
前記電力促進部は、
前記圧縮機（11）と、
前記第３制御において、システム全体の使用商用電力が前記第３値以上となるように前記圧縮機（11）を制御する制御装置（5）とを備え、
前記制御装置（5）は、前記第３制御において、前記利用側熱交換器（41）の空調能力が要求能力に至ると、前記使用商用電力によらず前記利用側熱交換器（41）の空調能力を要求能力に近づけるように圧縮機（11）を制御する第４制御を行うことを特徴とする空調システム。
【請求項１０】
圧縮機（11）と、室内の空調を行う利用側熱交換器（41）と、蓄熱用熱交換器（21）とが接続され、冷凍サイクルを行う冷媒回路（50）を備え、
システム全体の使用商用電力を促進する促進指令に応じて、前記蓄熱用熱交換器（21）で蓄熱を行いながら前記利用側熱交換器（41）で空調を行う第２運転を実行する空調システムであって、
前記第２運転の開始のタイミングに同期して、前記システム全体の使用商用電力を第３値以上に制御する第３制御を行う電力促進部（5,11,100）と、
前記冷媒回路（50）を含む空調ユニット（1A）とを備え、
前記電力促進部は、
蓄えた電力を前記空調ユニット（1A）に供給する蓄電装置（100）と、
前記第３制御において、システム全体の使用商用電力が前記第３値以上となるように前記蓄電装置（100）に蓄える商用電力を制御する制御装置（5）とを備えていることを特徴とする空調システム。
【請求項１１】
請求項１０において、
前記制御装置（5）は、前記第３制御において、前記使用商用電力によらず前記利用側熱交換器（41）の空調能力を要求能力に近づけるように前記圧縮機（11）を制御することを特徴とする空調システム。
【請求項１２】
請求項１１において、
前記制御装置（5）は、前記第３制御において、前記蓄電装置（100）に供給される商用電力がゼロで且つ前記利用側熱交換器（41）の空調能力が要求能力であると、前記蓄電装置（100）を停止させ前記空調ユニット（1A）の運転を継続させることを特徴とする空調システム。